(57)【要約】  ネットワークの輻輳を制御するための方法が開示されている。上記ネットワークにおけるローバーロードの可能性が検知される。オーバーロード制御情報を変更する対象となるアクセスクラスが選択される。上記オーバーロード制御情報は、上記選択されたアクセスクラスに対して調整される。続いて、上記調整されたオーバーロード制御情報が伝送される。上記方法は、基地局によって実行されてもよい。
2013536636.tif 000002
【特許請求の範囲】
【請求項１】
ネットワークの輻輳を制御するための方法であって、
上記ネットワークにおけるオーバーロードの可能性を検知する工程と、
オーバーロード制御情報を変更する対象となるアクセスクラスを選択する工程と、
上記選択されたアクセスクラスに対する上記オーバーロード制御情報を調整する工程と、
上記調整されたオーバーロード制御情報を伝送する工程と、を含んでいることを特徴とする方法。
【請求項２】
上記方法は、基地局によって実行されることを特徴とする請求項１に記載の方法。
【請求項３】
上記選択されたアクセスクラスは、上記選択されたアクセスクラスを有するユーザ機器（ＵＥ）と関連していることを特徴とする請求項１に記載の方法。
【請求項４】
上記ユーザ機器（ＵＥ）は、マシンタイプ通信（ＭＴＣ）デバイスおよび無線通信デバイスを備えていることを特徴とする請求項３に記載の方法。
【請求項５】
上記選択されたアクセスクラスに対する上記オーバーロード制御情報は、システム情報メッセージにおいて調整されることを特徴とする請求項１に記載の方法。
【請求項６】
上記調整されたオーバーロード制御情報を伝送する工程は、次の変更期間の境界に先立ち、上記システム情報メッセージを配信する工程を含んでいることを特徴とする請求項５に記載の方法。
【請求項７】
上記選択されたアクセスクラスに対して、オーバーロード制御情報変更通知を有するページングメッセージを送信する工程をさらに含んでいることを特徴とする請求項５に記載の方法。
【請求項８】
上記選択されたアクセスクラスに対する上記オーバーロード制御情報は、ページングメッセージにおいて調整され、上記調整されたオーバーロード制御情報を伝送する工程は、上記ページングメッセージを送信する工程を含んでいることを特徴とする請求項１に記載の方法。
【請求項９】
上記オーバーロード制御情報は、アクセスクラス規制（ＡＣＢ）情報およびイニシャルバックオフ（ＩＢＯ）情報を含んでいることを特徴とする請求項１に記載の方法。
【請求項１０】
ネットワークの輻輳を制御するために構成された機器であって、
プロセッサと、
上記プロセッサと電気的に通信するメモリと、
上記メモリに格納された命令と、を含んでおり、
上記命令は、
上記ネットワークにおけるオーバーロードの可能性を検知し、
オーバーロード制御情報を変更する対象となるアクセスクラスを選択し、
上記選択されたアクセスクラスに対する上記オーバーロード制御情報を調整し、
上記調整されたオーバーロード制御情報を伝送するために、実行可能であることを特徴とする機器。
【請求項１１】
上記機器は、基地局であることを特徴とする請求項１０に記載の機器。
【請求項１２】
上記選択されたアクセスクラスは、上記選択されたアクセスクラスを有するユーザ機器（ＵＥ）と関連していることを特徴とする請求項１０に記載の機器。
【請求項１３】
上記ユーザ機器（ＵＥ）は、マシンタイプ通信（ＭＴＣ）デバイスおよび無線通信デバイスを備えていることを特徴とする請求項１２に記載の機器。
【請求項１４】
上記選択されたアクセスクラスに対する上記オーバーロード制御情報は、システム情報メッセージにおいて調整されることを特徴とする請求項１０に記載の機器。
【請求項１５】
上記調整されたオーバーロード制御情報の伝送は、次の変更期間の境界に先立ち、上記システム情報メッセージを配信することを含んでいることを特徴とする請求項１４に記載の機器。
【請求項１６】
上記命令は、上記選択されたアクセスクラスに対して、オーバーロード制御情報変更通知を有するページングメッセージを送信するために、さらに実行可能であることを特徴とする請求項１４に記載の機器。
【請求項１７】
上記選択されたアクセスクラスに対する上記オーバーロード制御情報は、ページングメッセージにおいて調整され、上記調整されたオーバーロード制御情報の伝送は、上記ページングメッセージを送信することを含んでいることを特徴とする請求項１０に記載の機器。
【請求項１８】
上記オーバーロード制御情報は、アクセスクラス規制（ＡＣＢ）情報およびイニシャルバックオフ（ＩＢＯ）情報を含んでいることを特徴とする請求項１０に記載の機器。
【請求項１９】
ネットワークの輻輳を制御するための方法であって、
上記方法はユーザ機器（ＵＥ）によって実行され、
最新のオーバーロード制御情報を取得する工程と、
上記最新のオーバーロード制御情報から規制情報を取得する工程と、
上記ネットワークへのアクセスが規制されるかどうかを判定するために上記規制情報を使用する工程と、を含んでいることを特徴とする方法。
【請求項２０】
上記規制情報は、アクセスクラス規制情報を含んでおり、
上記アクセスクラス規制情報は、アクセスクラス規制インジケータを含んでおり、
さらに、アイドルモードにおいて動作する工程を含んでおり、
上記ネットワークへのアクセスが規制されるかどうかを判定するために上記規制情報を使用する工程は、上記ＵＥのアクセスクラスに対応する上記アクセスクラス規制インジケータにおけるビットが、０にセットされているかどうかを判定する工程を含んでいることを特徴とする請求項１９に記載の方法。
【請求項２１】
上記ＵＥのアクセスクラスに対応する上記アクセスクラス規制インジケータにおける上記ビットは、０にセットされており、
上記ネットワークへのアクセスが規制されていないものと判断する工程と、
上記最新のオーバーロード制御情報から、イニシャルバックオフ値を取得する工程と、
上記イニシャルバックオフ値に基づくイニシャルバックオフを適用する工程と、をさらに含んでいることを特徴とする請求項２０に記載の方法。
【請求項２２】
上記アクセスクラス規制情報はまた、アクセスクラス規制係数を含んでおり、
上記ＵＥのアクセスクラスに対応する上記アクセスクラス規制インジケータにおける上記ビットは、０にセットされておらず、
第１乱数を生成する工程と、
上記第１乱数を、上記アクセスクラス規制係数によって示される値と比較する工程と、をさらに含んでいることを特徴とする請求項２０に記載の方法。
【請求項２３】
上記第１乱数は、上記アクセスクラス規制係数によって示される上記値よりも小さく、
上記ネットワークへのアクセスが規制されていないものと判断する工程と、
上記最新のオーバーロード制御情報から、イニシャルバックオフ値を取得する工程と、
上記イニシャルバックオフ値に基づくイニシャルバックオフを適用する工程と、をさらに含んでいることを特徴とする請求項２２に記載の方法。
【請求項２４】
上記アクセス規制情報はまた、アクセスクラス規制時間を含んでおり、
上記第１乱数は、上記アクセスクラス規制係数によって示される上記値よりも小さくなく、
第２乱数を生成する工程と、
上記ネットワークへのアクセスの再試行に先立ち、上記第２乱数および上記アクセスクラス規制時間に対応する時間において待機する工程と、をさらに含んでいることを特徴とする請求項２２に記載の方法。
【請求項２５】
上記イニシャルバックオフは、無線リソース制御（ＲＲＣ）接続の確立に先立ち、無線リソース制御（ＲＲＣ）層へ適用されることを特徴とする請求項２３に記載の方法。
【請求項２６】
上記イニシャルバックオフは、上記メディアアクセス制御（ＭＡＣ）層において適用され、
上記ＭＡＣ層は、ランダムアクセス処理の開始に先立ち、待機すべき時間を決定することを特徴とする請求項２３に記載の方法。
【請求項２７】
イニシャルバックオフを適用する工程は、上記ネットワークへの接続の試行に先立ち、上記イニシャルバックオフ値に対応する時間において遅延する工程を含んでいることを特徴とする請求項２３に記載の方法。
【請求項２８】
上記規制情報は、ランダムアクセスチャンネル（ＲＡＣＨ）規制情報を含んでおり、
上記ＲＡＣＨ規制情報は、ＲＡＣＨ規制係数およびＲＡＣＨ規制時間を含んでおり、
第１乱数を生成する工程と、
上記第１乱数が上記ＲＡＣＨ規制係数よりも小さくない場合、上記ネットワークへのアクセスが規制されるとして、上記第１乱数を、ＲＡＣＨ規制係数と比較することによって、上記ネットワークへのアクセスが規制されることを判定する工程と、
第２乱数を生成する工程と、
上記第１乱数の再生成に先立ち、上記第２乱数および上記ＲＡＣＨ規制時間に対応する時間において遅延する工程と、をさらに含んでいることを特徴とする請求項１９に記載の方法。
【請求項２９】
上記規制情報は、ランダムアクセスチャンネル（ＲＡＣＨ）規制情報を含んでおり、
上記ＲＡＣＨ規制情報は、ＲＡＣＨ規制係数およびＲＡＣＨ規制時間を含んでおり、
第１乱数を生成する工程と、
上記第１乱数が上記ＲＡＣＨ規制係数よりも小さい場合、上記ネットワークへのアクセスが規制されないとして、上記第１乱数を、上記ＲＡＣＨ規制係数と比較することによって、上記ネットワークへのアクセスが規制されないことを判定する工程と、
ランダムアクセス処理を継続する工程と、をさらに含んでいることを特徴とする請求項１９に記載の方法。
【請求項３０】
上記ＵＥは、マシンタイプ通信（ＭＴＣ）デバイスであることを特徴とする請求項１９に記載の方法。
【請求項３１】
上記ＵＥは、無線通信デバイスであることを特徴とする請求項１９に記載の方法。
【請求項３２】
上記ＵＥは、オーバーロード制御情報を変更する対象となる、基地局によって選択されたアクセスクラスを有していることを特徴とする請求項１９に記載の方法。
【請求項３３】
上記ＵＥは、上記ネットワークへの接続の試行に先立ち、システム情報メッセージから、上記オーバーロード制御情報を読み出すように要求されることを特徴とする請求項１９に記載の方法。
【請求項３４】
上記ＵＥは、システム情報メッセージにおける上記オーバーロード制御情報の変更を示すページングメッセージを介して、変更通知を受信することによって、上記最新のオーバーロード制御情報を取得することを特徴とする請求項１９に記載の方法。
【請求項３５】
上記ＵＥは、ページングメッセージを介して、上記オーバーロード制御情報を取得することを特徴とする請求項１９に記載の方法。
【請求項３６】
ネットワークの輻輳を制御するために構成された機器であって、
プロセッサと、
上記プロセッサと電気的に通信するメモリと
上記メモリに格納された命令と、を含んでおり、
上記命令は、
最新のオーバーロード制御情報を取得し、
上記最新のオーバーロード制御情報から規制情報を取得し、
上記ネットワークへのアクセスが規制されるかどうかを判定するために上記規制情報を使用するために、実行可能であることを特徴とする機器。
【請求項３７】
上記規制情報は、アクセスクラス規制情報を含んでおり、
上記アクセスクラス規制情報は、アクセスクラス規制インジケータを含んでおり、
上記命令は、さらに、アイドルモードにおいて動作するために実行可能であり、
上記ネットワークへのアクセスが規制されるかどうかを判定するための上記規制情報の使用は、上記機器のアクセスクラスに対応する上記アクセスクラス規制インジケータにおけるビットが、０にセットされているかどうかを判定することを含んでいることを特徴とする請求項３６に記載の機器。
【請求項３８】
上記ＵＥのアクセスクラスに対応する上記アクセスクラス規制インジケータにおける上記ビットは、０にセットされており、
上記命令は、さらに、
上記ネットワークへのアクセスが規制されていないものと判断し、
上記最新のオーバーロード制御情報から、イニシャルバックオフ値を取得し、
上記イニシャルバックオフ値に基づくイニシャルバックオフを適用するために、実行可能であることを特徴とする請求項３７に記載の機器。
【請求項３９】
上記アクセスクラス規制情報はまた、アクセスクラス規制係数を含んでおり、
上記ＵＥのアクセスクラスに対応する上記アクセスクラス規制インジケータにおける上記ビットは、０にセットされておらず、
上記命令は、さらに、
第１乱数を生成し、
上記第１乱数を、上記アクセスクラス規制係数によって示される値と比較するために、実行可能であることを特徴とする請求項３７に記載の機器。
【請求項４０】
上記第１乱数は、上記アクセスクラス規制係数によって示される上記値よりも小さく、
上記命令は、さらに、
上記ネットワークへのアクセスが規制されていないものと判断し、
上記最新のオーバーロード制御情報から、イニシャルバックオフ値を取得し、
上記イニシャルバックオフ値に基づくイニシャルバックオフを適用するために、実行可能であることを特徴とする請求項３９に記載の機器。
【請求項４１】
上記アクセス規制情報はまた、アクセスクラス規制時間を含んでおり、
上記第１乱数は、上記アクセスクラス規制係数によって示される上記値よりも小さくなく、
上記命令は、さらに、
第２乱数を生成し、
上記ネットワークへのアクセスの再試行に先立ち、上記第２乱数および上記アクセスクラス規制時間に対応する時間において待機するために、実行可能であることを特徴とする請求項３９に記載の機器。
【請求項４２】
上記イニシャルバックオフは、無線リソース制御（ＲＲＣ）接続の確立に先立ち、無線リソース制御（ＲＲＣ）層へ適用されることを特徴とする請求項４０に記載の機器。
【請求項４３】
上記イニシャルバックオフは、上記メディアアクセス制御（ＭＡＣ）層において適用され、
上記ＭＡＣ層は、ランダムアクセス処理の開始に先立ち、待機すべき時間を決定することを特徴とする請求項４０に記載の機器。
【請求項４４】
イニシャルバックオフの適用は、上記ネットワークへの接続の試行に先立ち、上記イニシャルバックオフ値に対応する時間において遅延することを含んでいることを特徴とする請求項４０に記載の機器。
【請求項４５】
上記規制情報は、ランダムアクセスチャンネル（ＲＡＣＨ）規制情報を含んでおり、
上記ＲＡＣＨ規制情報は、ＲＡＣＨ規制係数およびＲＡＣＨ規制時間を含んでおり、
上記命令は、さらに、
第１乱数を生成し、
上記第１乱数が上記ＲＡＣＨ規制係数よりも小さくない場合、上記ネットワークへのアクセスが規制されるとして、上記第１乱数を、ＲＡＣＨ規制係数と比較することによって、上記ネットワークへのアクセスが規制されることを判定し、
第２乱数を生成し、
上記第１乱数の再生成に先立ち、上記第２乱数およびＲＡＣＨ規制時間に対応する時間において遅延するために、実行可能であることを特徴とする請求項３６に記載の機器。
【請求項４６】
上記規制情報は、ランダムアクセスチャンネル（ＲＡＣＨ）規制情報を含んでおり、
上記ＲＡＣＨ規制情報は、ＲＡＣＨ規制係数およびＲＡＣＨ規制時間を含んでおり、
上記命令は、さらに、
第１乱数を生成し、
上記第１乱数が上記ＲＡＣＨ規制係数よりも小さい場合、上記ネットワークへのアクセスが規制されないとして、上記第１乱数を、ＲＡＣＨ規制係数と比較することによって、上記ネットワークへのアクセスが規制されないことを判定し、
ランダムアクセス処理を継続するために、実行可能であることを特徴とする請求項３６に記載の機器。
【請求項４７】
上記機器は、マシンタイプ通信（ＭＴＣ）デバイスであることを特徴とする請求項３６に記載の機器。
【請求項４８】
上記機器は、無線通信デバイスであることを特徴とする請求項３６に記載の機器。
【請求項４９】
上記機器は、オーバーロード制御情報を変更する対象となる、基地局によって選択されたアクセスクラスを有していることを特徴とする請求項３６に記載の機器。
【請求項５０】
上記機器は、上記ネットワークへの接続の試行に先立ち、システム情報メッセージから、上記オーバーロード制御情報を読み出すように要求されることを特徴とする請求項３６に記載の機器。
【請求項５１】
上記機器は、システム情報メッセージにおける上記オーバーロード制御情報の変更を示すページングメッセージを介して、変更通知を受信することによって、上記最新のオーバーロード制御情報を取得することを特徴とする請求項３６に記載の機器。
【請求項５２】
上記機器は、ページングメッセージを介して、上記オーバーロード制御情報を取得することを特徴とする請求項３６に記載の機器。
【発明の詳細な説明】
【技術分野】
【０００１】
本発明は、一般的に無線通信および無線通信に関連した技術に関する。特に、本発明は、無線通信ネットワークにおける輻輳を低減するための方法に関する。
【背景技術】
【０００２】
無線通信デバイスは、利用者の要求を満たし、可搬性および利便性を向上させるために、ますます小型かつ高性能なものになっている。利用者は、無線通信デバイスに依存しており、信頼性の高いサービス、カバレッジのエリアの拡大、および機能の向上を期待するようになっている。無線通信システムは、多数のセルに対して通信を提供してもよく、多数のセルのそれぞれは、基地局によってサービスされてもよい。基地局は、移動局と通信する固定交信局であってもよい。
【０００３】
無線通信デバイスのさらなる進歩に伴い、無線通信デバイスの利用の可能性もまた、増加しつつある。こうした進歩の１つは、マシン間（Ｍ２Ｍ）デバイスの導入である。これらのデバイスは、ほとんどわずかのヒューマンインターフェースしか提供しなくてもよい。代わりに、これらのデバイスは、基地局に対して無線リンクを提供してもよい。無線リンクは、情報を送信し、基地局からの情報を受信するために無線リンクを使用するアプリケーションに対して提供されてもよい。
【０００４】
これらのデバイスは、対人交流のためのインターフェースを単に提供するだけではないので、さらに多くのこうしたデバイスが、単一の基地局に依存している。基地局との通信を行う無線デバイスの数の増加に伴い、基地局がオーバーロードとなる可能性が生じる。基地局がオーバーロードとなることを防ぐことにより、利益がもたらされうる。
【発明の概要】
【発明が解決しようとする課題】
【０００５】
好適な実施形態は、ネットワークの輻輳を制御するための方法であって、ネットワークにおけるオーバーロードの可能性を検知する工程と、オーバーロード制御情報を変更する対象となるアクセスクラスを選択する工程と、選択されたアクセスクラスに対するオーバーロード制御情報を調整する工程と、調整されたオーバーロード制御情報を伝送する工程と、を含んでいる。
【０００６】
別の好適な実施形態は、ネットワークの輻輳を制御するために構成された機器であって、プロセッサと、プロセッサと電気的に通信するメモリと、メモリに格納された命令と、を含んでおり、その命令は、ネットワークにおけるオーバーロードの可能性を検知し、オーバーロード制御情報を変更する対象となるアクセスクラスを選択し、選択されたアクセスクラスに対するオーバーロード制御情報を調整し、調整されたオーバーロード制御情報を伝送するために実行可能である。
【０００７】
さらに別の好適な実施形態は、ネットワークの輻輳を制御するための方法であって、その方法は、ユーザ機器（ＵＥ）によって実行され、その方法は、最新のオーバーロード制御情報を取得する工程と、最新のオーバーロード制御情報から規制情報を取得する工程と、ネットワークへのアクセスが規制されるかどうかを判定するために規制情報を使用する工程と、を含んでいる。
【０００８】
さらに別の好適な実施形態は、ネットワークの輻輳を制御するために構成された機器であって、プロセッサと、プロセッサと電気的に通信するメモリと、メモリに格納された命令と、を含んでおり、その命令は、最新のオーバーロード制御情報を取得し、最新のオーバーロード制御情報から規制情報を取得し、ネットワークへのアクセスが規制されるかどうかを判定するための規制情報を使用するために実行可能である。
【０００９】
上記またはその他の本発明の目的、特徴、および利点は、以下の添付図面とともに、本発明の以下の詳細な記載を考慮することによって、さらに容易に理解されるであろう。
【図面の簡単な説明】
【００１０】
【図１】無線通信システムを表すブロック図である。
【図２】開放型システム間相互接続（ＯＳＩ）モデルを表すブロック図である。
【図３】基地局からユーザ機器（ＵＥ）への、システム情報（ＳＩ）メッセージおよびページングメッセージの伝送を表すブロック図である。
【図４】オーバーロード制御情報の様々な構成要素を表すブロック図である。
【図５】輻輳を低減するための方法におけるフローチャートである。
【図６】ページングメッセージを介して送信された通知を用いて輻輳を低減するための方法におけるフローチャートである。
【図７】ページングメッセージなしに輻輳を低減するための方法におけるフローチャートである。
【図８】ページングメッセージにおけるオーバーロード制御情報を送信することによって輻輳を低減するための方法におけるフローチャートである。
【図９】輻輳を低減するための別の方法におけるフローチャートである。
【図１０】ランダムアクセスチャンネル（ＲＡＣＨ）の規制を適用するための方法におけるフローチャートである。
【図１１】基地局において利用可能な様々な構成要素を表す図である。
【図１２】ユーザ機器（ＵＥ）において利用可能な様々な構成要素を表す図である。
【発明を実施するための形態】
【００１１】
ネットワークの輻輳を制御するための方法について記載する。ネットワークにおけるオーバーロードの可能性が検知される。オーバーロード制御情報を変更する対象となるアクセスクラスが選択される。選択されたアクセスクラスに対するオーバーロード制御情報が調整される。調整されたオーバーロード制御情報が送信される。
【００１２】
上記方法は、基地局によって実行されてもよい。選択されたアクセスクラスは、その選択されたアクセスクラスを有するユーザ機器（ＵＥ）に関係する。ユーザ機器（ＵＥ）は、マシンタイプ通信（ＭＴＣ）デバイス、および無線通信デバイスを備えていてもよい。選択されたアクセスクラスに対するオーバーロード制御情報は、システム情報メッセージにおいて調整されてもよい。調整されたオーバーロード制御情報を伝送する工程は、次の変更期間の境界に先立ち、システム情報メッセージを配信する工程を含んでいてもよい。
【００１３】
オーバーロード制御情報の変更通知を備えたページングメッセージは、選択されたアクセスクラスに送信されてもよい。選択されたアクセスクラスに対するオーバーロード制御情報は、ページングメッセージにおいて調整されてもよい。調整されたオーバーロード制御情報を伝送する工程は、ページングメッセージを送信する工程を含んでいてもよい。オーバーロード制御情報は、アクセスクラス規制（ＡＣＢ）情報およびイニシャルバックオフ（ＩＢＯ）情報を含んでいてもよい。
【００１４】
ネットワークの輻輳を制御するために構成された機器についても記載する。上記機器は、プロセッサと、プロセッサと電気的に通信するメモリと、メモリに格納された命令と、を含んでいる。命令は、ネットワークにおけるオーバーロードの可能性を検知するために、プロセッサによって実行可能である。命令はまた、オーバーロード制御情報を変更する対象となるアクセスクラスを選択するために、プロセッサによって実行可能である。命令はさらに、選択されたアクセスクラスに対するオーバーロード制御情報を調整するために、プロセッサによって実行可能である。命令はまた、調整されたオーバーロード制御情報を伝送するために、プロセッサによって実行可能である。
【００１５】
ネットワークの輻輳を制御するための方法について記載する。上記方法は、ユーザ機器（ＵＥ）によって実行される。最新のオーバーロード制御情報が取得される。規制情報が、最新のオーバーロード制御情報から取得される。規制情報は、ネットワークへのアクセスが規制されるかどうかを判定するために使用される。
【００１６】
規制情報は、アクセスクラス規制情報を含んでいてもよい。アクセスクラス規制情報は、アクセスクラス規制インジケータを含んでいてもよい。ユーザ機器（ＵＥ）は、アイドルモードにおいて動作してもよい。ネットワークへのアクセスが規制されるかどうかを判定するために規制情報を使用する工程は、ＵＥのアクセスクラスに対応するアクセスクラス規制インジケータにおけるビットが、０にセットされているかどうかを判定する工程を含んでいてもよい。
【００１７】
ＵＥのアクセスクラスに対応するアクセスクラス規制インジケータにおけるビットは、０にセットされてもよい。ユーザ機器（ＵＥ）は、ネットワークへのアクセスが規制されていないものと判断してもよい。イニシャルバックオフ値は、最新のオーバーロード制御情報から取得されてもよい。イニシャルバックオフ値に基づくイニシャルバックオフが適用されてもよい。
【００１８】
アクセスクラス規制情報はまた、アクセスクラス規制係数を含んでいてもよい。ＵＥのアクセスクラスに対応するアクセスクラス規制インジケータにおけるビットは、０にセットされなくてもよい。第１乱数が生成されてもよい。第１乱数は、アクセスクラス規制係数によって示される値と比較されてもよい。
【００１９】
第１乱数は、アクセスクラス規制係数によって示される値よりも小さくてもよい。ユーザ機器（ＵＥ）は、ネットワークへのアクセスが規制されていないものと判断してもよい。イニシャルバックオフ値は、最新のオーバーロード制御情報から取得されてもよい。イニシャルバックオフ値に基づくイニシャルバックオフが適用されてもよい。
【００２０】
アクセス規制情報はまた、アクセスクラス規制時間を含んでいてもよい。第１乱数は、アクセスクラス規制係数によって示される値よりも小さくなくてもよい。第２乱数が生成されてもよい。ユーザ機器（ＵＥ）は、ネットワークへのアクセスの再試行に先立ち、第２乱数およびアクセスクラス規制時間に対応する時間において待機してもよい。
【００２１】
イニシャルバックオフは、無線リソース制御（ＲＲＣ）接続の確立に先立ち、無線リソース制御（ＲＲＣ）層へ適用されてよい。イニシャルバックオフはまた、メディアアクセス制御（ＭＡＣ）層において適用されてもよい。ＭＡＣ層は、ランダムアクセス処理の開始に先立ち、待機すべき時間を決定してもよい。イニシャルバックオフを適用する工程は、ネットワークへの接続の試行に先立ち、イニシャルバックオフ値に対応する時間において遅延する工程を含んでいてもよい。
【００２２】
規制情報は、ＲＡＣＨ規制係数およびＲＡＣＨ規制時間を含んだランダムアクセスチャンネル（ＲＡＣＨ）規制情報を含んでいてもよい。第１乱数が生成されてもよい。ネットワークへのアクセスが規制されるかどうかは、第１乱数をＲＡＣＨ規制係数と比較することによって判定されてもよい。第１乱数がＲＡＣＨ規制係数よりも小さくない場合、ネットワークへのアクセスは、規制されてもよい。第２乱数が生成されてもよい。上記方法は、第１乱数の再生成に先立ち、第２乱数およびＲＡＣＨ規制時間に対応する時間において遅延する工程を含んでいてもよい。
【００２３】
ネットワークへのアクセスが規制されないかどうかは、第１乱数をＲＡＣＨ規制係数と比較することによって判定されてもよい。第１乱数がＲＡＣＨ規制係数よりも小さい場合、ネットワークへのアクセスは、規制されなくてもよい。その後、ランダムアクセス処理は継続されてもよい。
【００２４】
ＵＥは、マシンタイプ通信（ＭＴＣ）デバイス、または無線通信デバイスであってよい。ＵＥは、オーバーロード制御情報を変更する対象となる、基地局によって選択されたアクセスクラスを有していてもよい。ＵＥは、ネットワークへの接続の試行に先立ち、システム情報メッセージからオーバーロード制御情報を読み出すように要求されてもよい。ＵＥは、システム情報メッセージにおけるオーバーロード制御情報の変更を示すページングメッセージを介して、変更通知を受信することによって、最新のオーバーロード制御情報を取得してもよい。ＵＥはまた、ページングメッセージを介して、オーバーロード制御情報を取得してもよい。
【００２５】
ネットワークの輻輳を制御するために構成された機器についても記載する。上記機器は、プロセッサと、プロセッサと電気的に通信するメモリと、メモリに格納された命令と、を含んでいる。命令は、最新のオーバーロード制御情報を取得するために実行可能である。命令はまた、最新のオーバーロード制御情報から規制情報を取得するために実行可能である。命令はさらに、ネットワークへのアクセスが規制されるかどうかを判定するための規制情報を使用するために実行可能である。
【００２６】
図１は、無線通信システム１００を表すブロック図である。無線通信システム１００は、コアネットワーク（ＣＮ）１０６、基地局１０２、第１マシン１２０ａと通信する第１マシンタイプ通信（ＭＴＣ）デバイス１０４ａ、第２マシン１２０ｂと通信する第２マシンタイプ通信（ＭＴＣ）デバイス１０４ｂ、および無線通信デバイス１１８を含んでいてもよい。基地局１０２は、１つ以上のマシンタイプ通信（ＭＴＣ）デバイス１０４、または１つ以上の無線通信デバイス１１８と、無線通信してもよい。
【００２７】
基地局１０２は、アクセスポイント、Ｎｏｄｅ  Ｂ、ｅＮｏｄｅＢ、または他の専門用語として称されてもよい。ここでは、「基地局」という用語が使用されている。基地局１０２およびそのカバレッジエリアは、無線アクセスネットワーク（ＲＡＮ）１０８として称されてもよい。無線通信デバイス１１８は、移動局、受信局、アクセス端末、遠隔局、ユーザ端末、端末、子機、受信ユニット、または他の専門用語として称されてもよい。ここでは、「無線通信デバイス」という用語が使用されている。
【００２８】
無線通信デバイス１１８は、携帯電話、スマートフォン、ラップトップ型ＰＣ、携帯情報端末（ＰＤＡ）、無線モデムなどであってよい。無線通信デバイス１１８は、無線周波数（ＲＦ）通信チャンネルによって、基地局１０２へデータを伝送してもよい。同様に、基地局１０２は、無線周波数（ＲＦ）通信チャンネルによって、無線通信デバイスへデータを伝送してもよい。
【００２９】
マシンタイプ通信（ＭＴＣ）デバイス１０４は、無線周波数（ＲＦ）通信チャンネルによって、１つ以上の基地局１０２と通信してもよいし、通信をしなくてもよい。１つの設定において、マシンタイプ通信（ＭＴＣ）デバイス１０４は、所定の時間において、ダウンリンク、および／またはアップリンクにおいて、基地局１０２と通信してもよい。ダウンリンクは、基地局１０２から、無線通信デバイス１１８またはマシンタイプ通信（ＭＴＣ）デバイス１０４のような無線デバイスへの通信リンクを指す。アップリンクは、無線通信デバイス１１８またはマシンタイプ通信（ＭＴＣ）デバイス１０４のような無線デバイスから、基地局１０２への通信リンクを指す。通信リンクは、単一入力単一出力（ＳＩＳＯ）、多入力単一出力（ＭＩＳＯ）、または多入力多出力（ＭＩＭＯ）のシステムを用いて確立されてもよい。ＭＩＭＯのシステムは、複数の送信アンテナおよび受信アンテナに備え付けられた送信機および受信機の両方を含んでいてもよい。
【００３０】
第３世代パートナープロジェクト（３ＧＰＰ）は、全世界的に適用可能な携帯電話システムの仕様を作成するための、電気通信に関する組織のグループ間の共同プロジェクトである。ロングタームエボリューション（ＬＴＥ）は、携帯電話技術に関する高性能なエアインターフェースのプロジェクト名である。ロングタームエボリューションアドバンス（ＬＴＥ−Ａ）は、ＬＴＥのエアインターフェースを強化するための移動体通信の規格である。３ＧＰＰにおけるＬＴＥ−Ａのリリース１０では、マシンタイプ通信（ＭＴＣ）デバイス１０４の使用を可能とする機能が、仕様に含まれている。
【００３１】
マシンタイプ通信（ＭＴＣ）デバイス１０４は、一時機能がユーザーインターフェースを提供しないという点を除いては、無線通信デバイス１１８と類似している。マシンタイプ通信（ＭＴＣ）デバイス１０４は、物理（ＰＨＹ）層、メディアアクセス制御（ＭＡＣ）層、無線リンク制御（ＲＬＣ）層、パケットデータコンバージェンスプロトコル（ＰＤＣＰ）層、および無線リソース制御（ＲＲＣ）層を用いて、基地局１０２とコアネットワーク（ＣＮ）１０６との通信リンクを確立してもよい。しかし、マシンタイプ通信（ＭＴＣ）デバイス１０４は、ヒューマンインターフェースを提供しなくてもよい。代わりに、マシンタイプ通信（ＭＴＣ）デバイス１０４は、マシン１２０の間（すなわち、データ収集／データ集約デバイスと、マシンタイプ通信（ＭＴＣ）サーバ１１０との間）のネットワークアクセスポイントとして動作してもよい。
【００３２】
マシンタイプ通信（ＭＴＣ）サーバ１１０は、マシンタイプ通信（ＭＴＣ）デバイス１０４におけるマシンタイプ通信（ＭＴＣ）アプリケーションとの接続を容易化するためにコアネットワーク（ＣＮ）１０６を使用するデバイスであってもよい。マシンタイプ通信（ＭＴＣ）デバイス１０４の例は、監視装置、ユーティリティ計測デバイス、車両運行管理デバイス、および生産チェーン監視デバイスを含む。マシンタイプ通信（ＭＴＣ）デバイス１０４および無線通信デバイス１１８は、ユーザ機器（ＵＥ）と集合的に称されてもよい。つまり、マシンタイプ通信（ＭＴＣ）デバイス１０４は、ユーザ機器（ＵＥ）の特定のタイプである。
【００３３】
マシンタイプ通信（ＭＴＣ）デバイス１０４は、マシンタイプ通信（ＭＴＣ）デバイス１０４の要求に基づき分類されてもよい。第１マシンタイプ通信（ＭＴＣ）デバイス１０４ａは、そのデータをマシンタイプ通信（ＭＴＣ）サーバ１１０へ速やかに伝える必要がないため、タイムトレラントとして分類されてもよい。第２マシンタイプ通信（ＭＴＣ）デバイス１０４ｂは、収集したデータを、マシンタイプ通信（ＭＴＣ）サーバ１１０へ速やかに伝えることが大いに望ましいため、タイムイントレラントとして分類されてもよい。
【００３４】
マシンタイプ通信（ＭＴＣ）デバイス１０４は、特定のユーザ機器（ＵＥ）（すなわち、特定のアクセスクラスを有するユーザ機器（ＵＥ））としてみなされてもよい。タイムトレラントなマシンタイプ通信（ＭＴＣ）デバイス１０４ａ、およびタイムイントレラントなマシンタイプ通信（ＭＴＣ）デバイス１０４ｂは、それぞれ特定のユーザ機器（ＵＥ）としてみなされてもよい。
【００３５】
ネットワークが、救急および緊急のクラスのユーザ機器（ＵＥ）と、利用者のクラスのユーザ機器（ＵＥ）とのセキュリティを区分する方法は、アクセスクラスの階層性を利用している。各マシンタイプ通信（ＭＴＣ）デバイス１０４、および各無線通信デバイス１１８は、１つ以上のアクセスクラス値１１６ａ〜１１６ｃ（すなわち、１からｎまでの値）によって、あらかじめ設定されていてもよい。ユーザ機器（ＵＥ）がシステムにアクセスする前に、ユーザ機器（ＵＥ）は、ユーザ機器（ＵＥ）におけるアクセスクラス値１１６が、セルへのアクセスを規制されているかを検証しなければならない。このようにして、基地局１０２は、ユーザ機器（ＵＥ）のセルへのアクセスを制御することができる。
【００３６】
基地局１０２は、複数の無線通信デバイス１１８、および／または複数のマシンタイプ通信（ＭＴＣ）デバイス１０４との通信リンクを確立するように設定されてもよい。マシンタイプ通信（ＭＴＣ）デバイス１０４に対する通信要求の制限により、基地局１０２から影響を受ける無線通信デバイス１１８よりも、さらに多くのマシンタイプ通信（ＭＴＣ）デバイス１０４が、基地局１０２から影響を受ける場合がある。無線通信デバイス１１８の１０倍の数のマシンタイプ通信（ＭＴＣ）デバイス１０４が、基地局１０２の影響下にあると予測されている。
【００３７】
基地局１０２と通信するユーザ機器（ＵＥ）の数の増加に伴い、輻輳の可能性が増加する。基地局１０２は、オーバーロード防止モジュール１１２を用いて、輻輳を緩和することを試みてもよい。オーバーロード防止モジュール１１２は、所定のアクセスクラス値１１６に対するネットワークアクセスを制限することができる。例えば、オーバーロード防止モジュール１１２は、調整のためのアクセスクラス１１４を判定することができる。アクセスクラス１１４は、基地局１０２に対して輻輳を引き起こす可能性を有し、および／または、ネットワークにおけるアクセスの調整によって輻輳を減少させる可能性を有するユーザ機器（ＵＥ）のグループに対応してもよい。続いて、基地局１０２は、輻輳を低減させるために、特定のアクセスクラス１１４に対するネットワークアクセスのパラメータを調整してもよい。
【００３８】
図２は、開放型システム間相互接続（ＯＳＩ）モデルを表すブロック図である。このモデルは、通信の観点から、システムをより小さい部分（層と呼ばれる）に再分割する方法である。層は、概念的には、その上の層にサービスを提供し、その下の層からサービスを受け取る、類似の機能の集合である。それぞれの層は、上の層へサービスを提供し、下の層からのサービスを要求することができる。開放型システム間相互接続（ＯＳＩ）モデルは、コアネットワーク（ＣＮ）２０６、基地局２０２、およびユーザ機器（ＵＥ）２５４の間の通信を容易化することができる。図２の基地局２０２は、図１の基地局１０２の１つの構成であってもよい。図２のユーザ機器（ＵＥ）２５４は、図１のマシンタイプ通信（ＭＴＣ）デバイス１０４または無線通信デバイス１１８の１つの構成であってもよい。図２のコアネットワーク（ＣＮ）２０６は、図１のコアネットワーク（ＣＮ）１０６の１つの構成であってよい。
【００３９】
開放型システム間相互接続（ＯＳＩ）モデルにおいて、層は、アクセス層（ＡＳ）２２６および非アクセス層（ＮＡＳ）２２４という２つのグループに分割されてもよい。アクセス層（ＡＳ）２２６および非アクセス層（ＮＡＳ）は、３ＧＰＰの用語である。アクセス層（ＡＳ）２２６は、ユーザ機器（ＵＥ）２５４と基地局２０２との間のＬＴＥのデータ接続を開始し、維持し、終了させるために用いられる開放型システム間相互接続（ＯＳＩ）モデルの層を含んでいる。３ＧＰＰのＬＴＥおよびＬＴＥ−Ａの仕様において、物理（ＰＨＹ）層２３０、メディアアクセス制御（ＭＡＣ）層２３２、無線リンク制御（ＲＬＣ）層２３４、パケットデータコンバージェンスプロトコル（ＰＤＣＰ）層２３６、および無線リソース制御（ＲＲＣ）層２３８は、全てアクセス層（ＡＳ）２２６の一部である。ＬＴＥシステムは、ユーザ機器（ＵＥ）２５４と基地局２０２との間のコントロープレーンの専用の情報を伝送するために、無線リソース制御（ＲＲＣ）層２３８を用いてもよい。
【００４０】
非アクセス層（ＮＡＳ）２２４は、（ユーザ機器（ＵＥ）２５４がマシンタイプ通信（ＭＴＣ）デバイス１０４であった場合）、ユーザ機器（ＵＥ）２５４におけるマシンタイプ通信（ＭＴＣ）アプリケーション２１８を提供するために用いられる層を含んでいる。ＬＴＥシステムにおいて、無線デバイス（無線通信デバイス１１８またはマシンタイプ通信（ＭＴＣ）デバイス１０４のような）が、Ｅｖｏｌｖｅｄ  ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）を使用するとき、Ｅｖｏｌｖｅｄ  Ｐａｃｋｅｔ  Ｓｙｓｔｅｍ（ＥＰＳ）Ｍｏｂｉｌｉｔｙ  Ｍａｎａｇｅｍｅｎｔ（ＥＭＭ）プロトコルは、モビリティの制御のための処理を提供する。ＥＭＭプロトコルはまた、非アクセス層（ＮＡＳ）に対するセキュリティの制御を提供する。処理は、Ｅｖｏｌｖｅｄ  Ｐａｃｋｅｔ  Ｓｙｓｔｅｍ（ＥＰＳ）における無線デバイスとモビリティマネジメントエンティティ（ＭＭＥ）との間のモビリティマネジメントおよびセッションマネジメントに対して用いられる。これらのプロトコルは、非アクセス層（ＮＡＳ）２２４に属している。アプリケーション層は、非アクセス層（ＮＡＳ）２２４によってサポートされている層である。アクセス層（ＡＳ）２２６は、無線アクセスネットワーク（ＲＡＮ）１０８のリソースを、非アクセス層（ＮＡＳ）２２４へ提供する。マシンタイプ通信（ＭＴＣ）デバイス１０４において動作しているアプリケーション２１８は、非アクセス層（ＮＡＳ）２２４の一部とみなされる。
【００４１】
上述のように、３ＧＰＰにおけるＬＴＥ−Ａのリリース１０では、マシンタイプ通信（ＭＴＣ）デバイス１０４の使用を可能とする機能は、仕様に含まれている。マシンタイプ通信（ＭＴＣ）デバイス１０４は、基地局２０２との通信リンクを確立するためにアクセス層（ＡＳ）２２６を使用するという点において、無線通信デバイス１１８と類似している。しかし、マシンタイプ通信（ＭＴＣ）デバイス１０４は、子機における標準的なヒューマンインターフェースを提供しないという点において、無線通信デバイス１１８と異なる。むしろ、マシンタイプ通信（ＭＴＣ）デバイス１０４の目的は、マシン１２０の間（すなわち、データ収集／データ集約デバイスと、マシンタイプ通信（ＭＴＣ）サーバ１１０との間）の無線アクセスネットワーク（ＲＡＮ）１０８のアクセスポイントとして動作することである。マシンタイプ通信（ＭＴＣ）デバイス１０４は、マシンタイプ通信（ＭＴＣ）デバイス１０４において動作し、ネットワークのリソースを要求するアプリケーション２１８をサポートするために、非アクセス層（ＮＡＳ）２２４をさらに用いてもよい。
【００４２】
図３は、基地局３０２からユーザ機器（ＵＥ）３５４へのシステム情報（ＳＩ）メッセージ３４０およびページングメッセージ３４８の伝送を表すブロック図である。図３の基地局３０２は、図１の基地局１０２の１つの構成であってよい。図３のユーザ機器（ＵＥ）３５４は、図２のユーザ機器（ＵＥ）２５４の１つの構成であってよい。基地局３０２は、システム情報メッセージ３４０を含むダウンリンクの無線フレームを配信してもよい。基地局３０２からユーザ機器（ＵＥ）３５４へメッセージを送信するために使用される無線リソース３５２は、配信リソース（すなわち、配信制御チャンネル（ＢＣＨ）伝送チャンネルを用いている）または専用リソース（すなわち、ダウンリンク共有チャンネル（ＤＬ−ＳＣＨ）伝送チャンネルを用いている）であってよい。
【００４３】
ＬＴＥ−Ａにおいて、基地局３０２はユーザ機器（ＵＥ）３５４（無線通信デバイス１１８またはマシンタイプ通信（ＭＴＣ）デバイス１０４など）にとって、ネットワークとの通信リンクを確立するために必要な情報を、システム情報（ＳＩ）メッセージ３４０を介して配信する。システム情報は、マスタ情報ブロック（ＭＩＢ）３４４、および多数のシステム情報ブロック（すなわち、ＳＩＢ１，…，ＳＩＢ１２）３４６へと分割される。第１システム情報ブロック３４６は、ＳｙｓｔｅｍＩｎｆｏｒｍａｔｉｏｎＢｌｏｃｋＴｙｐｅ１（ＳＩＢ１）と称されてよく、Ｅａｒｔｈｑｕａｋｅ  ａｎｄ  Ｔｓｕｎａｍｉ  Ａｌｅｒｔ  Ｓｙｓｔｅｍ（ＥＴＷＳ）／Ｃｏｍｍｅｒｃｉａｌ  Ｍｏｂｉｌｅ  Ａｌｅｒｔ  Ｓｓｙｔｅｍ（ＣＭＡＳ）のデータのＳＩＢメッセージのような緊急情報が配置されている場所を示すＳｃｈｅｄｕｌｉｎｇＩｎｆｏＬｉｓｔにおけるスケジューリング情報、および、システム情報（ＳＩ）メッセージ３４０における変化が生じたことを示す無情報変更インジケータｓｙｓｔｅｍＩｎｆｏＶａｌｕｅＴａｇを含んでよい。第２システム情報ブロック３４６は、ＳｙｓｔｅｍＩｎｆｏｍａｔｉｏｎＢｌｏｃｋＴｙｐｅ２（ＳＩＢ２）と称されてよく、ａｃ−ＢａｒｒｉｎｇＩｎｆｏにおける無線通信デバイス１１８およびマシンタイプ通信（ＭＴＣ）デバイス１０４の階層的な分割を含んでよい。
【００４４】
別のシステム情報ブロックは、ＳｙｓｔｅｍＩｎｆｏｍａｔｉｏｎＢｌｏｃｌＴｙｐｅ１０／１１（ＳＩＢ１０およびＳＩＢ１１）と称されてよく、Ｅａｒｔｈｑｕａｋｅ  ａｎｄ  Ｔｓｕｎａｍｉ  Ｗａｒｉｎｉｎｇ  Ｓｙｓｔｅｍ（ＥＴＷＳ）のメッセージデータを含んでよい。さらに別のシステム情報ブロックは、ＳｙｓｔｅｍＩｎｆｏｍａｔｉｏｎＢｌｏｃｋ１２と称されてよく、Ｃｏｍｍｅｒｃｉａｌ  Ｍｏｂｉｌｅ  Ａｌｅｒｔ  Ｓｓｙｔｅｍ（ＣＭＡＳ）のメッセージデータを含んでもよい。ＳｙｓｔｅｍＩｎｆｏｍａｔｉｏｎＢｌｏｃｌＴｙｐｅ１０／１１およびＳｙｓｔｅｍＩｎｆｏｍａｔｉｏｎＢｌｏｃｌＴｙｐｅ１２は、それぞれ緊急情報３３０を含んでよい。システム情報（ＳＩ）メッセージ３４０はまた、無線アクセスネットワーク（ＲＡＮ）情報３４２を含んでよい。
【００４５】
基地局３０２は、ユーザ機器（ＵＥ）３５４にシステム情報の変更を知らせるために、ページングメッセージ３４８を配信してもよい。ページングメッセージ３４８は、ページング時点においてユーザ機器（ＵＥ）３５４へ配信されてもよい。ページング時点は、ユーザ機器（ＵＥ）３５４のＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）およびシステム構成の設定によって決定されてもよい。
【００４６】
ページングメッセージ３４８は、システム情報変更インジケータ３５０を含んでよい。システム情報変更インジケータ３５０は、データフィールドｓｙｓｔｅｍＩｎｆｏＭｏｄｉｆｉｃａｔｉｏｎであってよい。データフィールドｓｙｓｔｅｍＩｎｆｏＭｏｄｉｆｉｃａｔｉｏｎのセットは、次の変更期間の境界において、システム情報（ＳＩ）データが変化するようにスケジュールされることを示す。変更期間の境界は、システム情報（ＳＩ）データに対する変化が許可されている時間を制限する。システム情報（ＳＩ）データの変化は、特定の無線フレームにおいてのみ生じる。システム情報（ＳＩ）データは、そのスケジューリングによって定められているように、変更期間内において同じように多数回伝送されてよい。ＳｙｓｔｅｍＩｎｆｏＭｏｄｉｆｉｃａｔｉｏｎが、「変更期間Ｎ」においてセットされている場合は、「変更期間Ｎ＋１」まで、変化は生じない。ページングメッセージはまた、ｅｔｗｓ−ｃｍａｓ−Ｉｎｄｉｃａｔｉｏｎを含んでよい。ｅｔｗｓ−ｃｍａｓ−Ｉｎｄｉｃａｔｉｏｎのセットは、Ｅａｒｔｈｑｕａｋｅ  ａｎｄ  Ｔｓｕｎａｍｉ  Ｗａｒｉｎｉｎｇ  Ｓｙｓｔｅｍ（ＥＴＷＳ）／Ｃｏｍｍｅｒｃｉａｌ  Ｍｏｂｉｌｅ  Ａｌｅｒｔ  Ｓｓｙｔｅｍ（ＣＭＡＳ）のデータが配信されていることを示す。
【００４７】
多数のユーザ機器（ＵＥ）３５４が、ほぼ同時に、ネットワークと接続しようとする時の輻輳を緩和するため、基地局３０２は、ユーザ機器（ＵＥ）３５４の一部または全てに対するオーバーロード制御情報３５６をすみやかに変更することができる。ある設定において、基地局３０２は、特定のアクセスクラス１１４を有するユーザ機器の全てに対するオーバーロード制御情報３５６のみを変更することができる。オーバーロード制御情報３５６における変化は、ネットワークへの接続を試行するユーザ機器（ＵＥ）３５４の一部を、ネットワークへの接続の再試行に先立ち、遅延させることによって、基地局３０２の輻輳を低減することができる。オーバーロード制御情報３５６は、後述の図４において、より詳細に説明されている。
【００４８】
輻輳を緩和するために、基地局３０２は、次の変更期間に先立ち、特定のアクセスクラス１１３に対するオーバーロード制御情報３５６を速やかに変更するよう要求されてもよい。これは、正確なオーバーロード制御が、特定の状況（例えば、マシンタイプ通信（ＴＭＣ）デバイス１０４を導入する場合）に対して必要とされることがあるためである。リリース８において、システム情報（ＳＩ）メッセージ３４０は、そのスケジューリングによって定義されるように、変更期間内において同じように多数回伝送されてもよい。変更期間の境界は、ＳＦＮ  ｍｏｄ  ｍ＝０  となるシステムフレーム番号（ＳＦＮ）によって定義されている。ｍは、変更期間における無線フレームの数である。変更期間は、システム情報（ＳＩ）メッセージ３４０によって設定される。
【００４９】
ネットワークが、システム情報（ＳＩ）メッセージ３４０において、システム情報（ＳＩ）の一部または全てを変更するとき、基地局３０２は、はじめに、ユーザ機器（ＵＥ）３５４に対して、この変更について通知する。これは変更期間を通じて実施されてよい。次の変更期間において、ネットワークは、更新されたシステム情報（ＳＩ）を伝送してもよい。ページングメッセージ３４８におけるシステム情報変更インジケータ３５０を受信し、ユーザ機器（ＵＥ）３５４は、次の変更期間の開始時から、システム（ＳＩ）メッセージ３４０を介して、新しいシステム情報（ＳＩ）を取得することができる。ページングメッセージ３４８は、ＲＲＣ＿ＩＤＬＥ状態にあるユーザ機器（ＵＥ）３５４、およびＲＲＣ＿ＣＯＮＮＥＣＴＥＤ状態にあるユーザ機器（ＵＥ）３５４に対して、システム情報の変更について報知するために使用される。
【００５０】
しかし、基地局３０２は、輻輳を防止するために、次の変更期間に先立ち、システム情報（ＳＩ）を変更する必要が生じる場合がある。特に、基地局３０２は、次の変更期間に先立ち、オーバーロード制御情報３５６を更新する必要がある場合がある。ある設定において、基地局３０２は、変更期間内において、システム情報（ＳＩ）メッセージ３４０におけるオーバーロード制御情報３５６ａを更新してもよい。
【００５１】
システム情報（ＳＩ）メッセージ３４０におけるオーバーロード制御情報３５６ａに対して、変更がなされる場合、基地局３０２は、ページングメッセージ３４８におけるオーバーロード制御情報変更通知３５８を含んでいてもよい。オーバーロード制御情報変更通知３５８は、特定のアクセスクラス１１４を有するユーザ機器（ＵＥ）３５４に対して、オーバーロード制御情報３５６ａにおける変更を示してもよい。それらのユーザ機器（ＵＥ）３５４が、オーバーロード制御情報変更通知３５８を含んだページングメッセージ３４８を受信した場合、ユーザ機器（ＵＥ）３５４は、更新されたオーバーロード制御情報３５６ａの受信を開始してもよい。このように、関係のないアクセスクラスを有するユーザ機器（ＵＥ）３５４は、システム情報に対する変化、およびオーバーロード制御情報変更通知３５８による影響を受けない一方で、特定のアクセスクラス１１４を有するユーザ機器（ＵＥ）３５４のみが、更新されたオーバーロード制御情報３５６ａを探索することができる。
【００５２】
別の設定において、基地局３０２は、ページングメッセージ３４８における更新されたオーバーロード制御情報３５６ｂを含んでいてもよい。更新されたオーバーロード制御情報３５６ｂは、特定のアクセスクラス１１４に対して向けられてもよく、これにより、特定のアクセスクラス１１４を有するユーザ機器（ＵＥ）３５４のみが、更新されたオーバーロード制御情報３５６ｂを読み出すことができる。
【００５３】
さらに別の設定において、ページングメッセージ３４８のロードを低減させるために、ページング通知のないシステム情報（ＳＩ）における変更が行われてもよい。特定のアクセスクラス１１４を有するユーザ機器（ＵＥ）３５４は、セルへの接続時に、特定のアクセスクラス１１４に対するオーバーロード制御情報３５６ａを監視および取得するよう、常に要求されてもよい。特定のアクセスクラス１１４を有しないユーザ機器（ＵＥ）３５４（これらのユーザ機器（ＵＥ）３５４は、通常のユーザ機器（ＵＥ）３５４と称されてもよい）は、セルへの接続時に、システム情報（ＳＩ）を取得するよう要求されなくともよい。つまり、無線リソース制御（ＲＲＣ）接続の確立時に、ユーザ機器（ＵＥ）３５４が、オーバーロード制御情報３５６を含んだ特定のシステム情報（ＳＩ）を取得するのは、ａ）ユーザ機器（ＵＥ）３５４が、そのように要求されている場合、または、ｂ）ユーザ機器（ＵＥ）３５４が、特定のアクセスクラス１１４を有している場合のいずれかである。それ以外の場合、ユーザ機器（ＵＥ）３５４は、無線リソース制御（ＲＲＣ）接続の確立時に、システム情報（ＳＩ）を取得しない。
【００５４】
図４は、オーバーロード制御情報４５６の様々な構成要素を表すブロック図である。図４のオーバーロード制御情報４５６は、図３のオーバーロード制御情報３５６の１つの設定であってよい。オーバーロード制御情報４５６は、基地局３０２からユーザ機器（ＵＥ）３５４へと伝送される。図３において上述されたように、オーバーロード制御情報４５６は、システム情報（ＳＩ）メッセージ３４０またはページングメッセージ３４８において、ユーザ機器（ＵＥ）３５４へと送信されてもよい。
【００５５】
多数のユーザ機器（ＵＥ）３５４が、ほぼ同時に、ネットワークへの接続を試みている際の輻輳を緩和するために、基地局３０２は、アクセスクラス規制（ＡＣＢ）およびバックオフ（ＢＯ）を用いてもよい。アクセスクラス規制（ＡＣＢ）メカニズムは、ユーザ機器（ＵＥ）３５４によるネットワークへのアクセスを制御する。アクセスクラス規制（ＡＣＢ）メカニズムが、ユーザ機器（ＵＥ）３５４のネットワークへのアクセスを許可しない場合、ユーザ機器（ＵＥ）３５４は、ある設定可能な期間において、再度のアクセスの試行を阻止される。設定可能な期間の後に、ユーザ機器（ＵＥ）３５４は、ネットワークへのアクセスを要求するために、再びアクセスクラス規制（ＡＣＢ）メカニズムを用いてもよい。アクセスクラス規制（ＡＣＢ）メカニズムは、ユーザ機器（ＵＥ）３５４が、ネットワークへアクセスすることを防止することができる。従って、アクセスクラス規制（ＡＣＢ）メカニズムは、ネットワークへのアクセスの数を低減することができる。
【００５６】
リリース８およびリリース９の仕様において、アクセスクラス規制（ＡＣＢ）情報は、ＳＩＢ２によって提供されてもよい。しかし、ＳＩＢ２は、非常に限られたペイロードの容量しか有していない。従って、アクセスクラス規制（ＡＣＢ）情報およびイニシャルバックオフ情報は、ＳＩＢ２に加えて、他のシステム情報ブロック（ＳＩＢ）へと付加されてもよい。ある設定において、新しいシステム情報ブロックＳＩＢｘが用いられてもよい。
【００５７】
アクセスクラス規制（ＡＣＢ）は、アクセスクラス規制情報４６０を使用してもよい。リリース８およびリリース９の仕様において、アクセスクラス規制情報４６０は、ＳＩＢ２によって提供されてもよい。アクセスクラス規制情報４６０は、各アクセスクラスまたは複数のアクセスクラスのグループに適用可能である。アクセスクラス規制（ＡＣＢ）は、特定のユーザ機器（ＵＥ）（すなわち、特定のアクセスクラス１１４を有するユーザ機器（ＵＥ））にのみ適用されてもよい。ＳＩＢ２は、非常に限られたペイロードの容量しか有していない。従って、アクセスクラス規制情報４６０およびイニシャルバックオフ（ＩＢＯ）情報４６６は、ＳＩＢ２に加えて、他のシステム情報ブロック（ＳＩＢ）へと付加されてもよい。ある設定において、新しいシステム情報ブロックＳＩＢｘが用いられてもよい。
【００５８】
アクセスクラス規制情報４６０は、アクセスクラス規制インジケータ４６１としてのａｃ−ＢａｒｒｉｎｇＦｏｒＳｐｅｃｉａｌＡＣ、アクセスクラス規制係数４６２としてのａｃ−ＢａｒｒｉｎｇＦａｃｔｏｒ、およびアクセスクラス規制時間４６４としてのａｃ−ＢａｒｒｉｎｇＴｉｍｅを含んでいてもよい。リリース８およびリリース９の仕様において、アクセスクラス規制係数４６２およびアクセスクラス規制時間４６４は、すべのアクセスクラスにおいて同一である。しかし、マシンタイプ通信（ＭＴＣ）デバイス１０４の導入に伴い、各アクセスクラスの特性は有意に異なっていてもよい。それゆえ、特定のアクセスクラスに対して、アクセスクラス規制係数４６２およびアクセスクラス規制時間４６４を提供することが必要とされる。ユーザ機器（ＵＥ）３５４は、自身のアクセスクラスに基づき、アクセスクラス規制係数４６２およびアクセスクラス規制時間４６４を選択してもよい。
【００５９】
アクセスクラス規制インジケータ４６１としてのａｃ−ＢａｒｒｉｎｇＦｏｒＳｐｅｃｉａｌＡＣは、各アクセスクラスに対するビットマップとしてのビット列であり、各アクセスクラスに対するセルへのアクセスが規制されているかどうかを表している。アクセスクラス規制係数４６２は、ユーザ機器（ＵＥ）３５４がネットワークへのアクセス権を取得することができる可能性を表している。ユーザ機器（ＵＥ）３５４は、自身のアクセスクラス、および自身のアクセスクラスに対するアクセスクラス規制（ＡＣＢ）情報４６０を確保してもよい。ユーザ機器（ＵＥ）３５４は、０≦ｒａｎｄ＜１の範囲において均一に分布した乱数“ｒａｎｄ”を生成してもよい。ｒａｎｄが、アクセスクラス規制係数４６２によって示された値よりも小さい場合、ユーザ機器（ＵＥ）３５４は、セルへのアクセスが規制されていないものと判断する。また、ｒａｎｄが、アクセスクラス規制係数４６２によって示された値よりも小さくない場合、ユーザ機器（ＵＥ）３５４は、セルへのアクセスが規制されているものと判断する。続いて、ユーザ機器（ＵＥ）３５４は、次のアクセスの試行に先立ち、待機すべき総時間を決定するために、アクセスクラス規制時間４６４とともに、乱数を用いてもよい。
【００６０】
アクセスクラス規制（ＡＣＢ）メカニズムは、輻輳を効果的に低減することが可能であるが、ユーザ機器（ＵＥ）３５４が、最も新しいアクセスクラス規制情報４６０を使用していない場合、このようなメカニズムは、潜在的な問題をも引き起こす。アクセスクラス規制（ＡＣＢ）メカニズムが、ユーザ機器（ＵＥ）３５４のネットワークへのアクセスを許可するイベントがトリガされるとき、マシンタイプ通信（ＭＴＣ）デバイス１０４の導入に伴い、多数のマシンタイプ通信（ＭＴＣ）デバイス１０４が、同時に同一のトリガイベントに応答し、ネットワークへの接続を試みる場合がある。特に、オーバーロード制御情報３５６が、セルへのアクセス許可を変更した際に、このことは生じやすく、これにより、輻輳の突発的な増大が生じる場合がある。
【００６１】
バックオフメカニズムは、以後には輻輳が低下するであろうという見通しのもとで、ユーザ機器（ＵＥ）３５４のアクセスの試行をある程度遅延させることによって、輻輳を緩和させるために用いられてもよい。しかし、バックオフメカニズムは、非常に多くのユーザ機器（ＵＥ）３５４がネットワークへ接続しようとしているという、根本的な問題を変化させることはできない。メディアアクセス制御（ＭＡＣ）層２３２は、ランダムアクセスチャンネル（ＲＡＣＨ）プロセスの再試行に対するバックオフパラメータを提供してもよい。イニシャルバックオフ（ＩＢＯ）メカニズムは、ランダムアクセスチャンネル（ＲＡＣＨ）プロセスの第１の試行に対して用いられてもよい。
【００６２】
オーバーロード制御情報４５６は、イニシャルバックオフ（ＩＢＯ）情報４６６を含んでいてもよい。イニシャルバックオフ（ＩＢＯ）情報４６６は、イニシャルバックオフ値４６７を含んでいてもよい。イニシャルバックオフ値４６７は、静的であってよい（すなわち、イニシャルバックオフ値４６７は、製造時にユーザ機器（ＵＥ）３５４に与えられている）。また、イニシャルバックオフ値４６７は、動的であってもよい（すなわち、イニシャルバックオフ値４６７は、特定のチャンネル（すなわち、無線周波数制御（ＲＲＣ）メッセージ）を介して、ユーザ機器（ＵＥ）３５４に通知されてもよい）。もし、イニシャルバックオフ値４６７が動的であれば、イニシャルバックオフ値４６７は、ユーザ機器（ＵＥ）３５４に対して固有であってよい。イニシャルバックオフ値４６７はまた、配信チャンネル（すなわち、システム情報ブロック（ＳＩＢ）のデータ）を介して通知されてもよく、この場合、イニシャルバックオフ値４６７は、全てのユーザ機器（ＵＥ）３５４に対して同一である。イニシャルバックオフ値４６７はさらに、ページングチャンネルを介して（すなわち、ページングメッセージ３４８を介して）通知されてもよく、この場合、イニシャルバックオフ値４６７は、ユーザ機器（ＵＥ）３５４の１つのグループに対して同一であるが、ユーザ機器（ＵＥ）３５４の別のグループのイニシャルバックオフ値とは異なっている。
【００６３】
アクセスクラス規制（ＡＣＢ）メカニズムが、ユーザ機器（ＵＥ）３５４のネットワークへのアクセスが許可されると判定した後に、イニシャルバックオフ（ＩＢＯ）情報４６６は、ユーザ機器（ＵＥ）３５４によって用いられてもよい。特定のユーザ機器（ＵＥ）３５４は、セルへのメッセージの伝送の開始に先立ち、セルへのアクセスが規定されていないことを判定した後に、バックオフ時間において遅延するよう要求されてもよい。イニシャルバックオフ（ＩＢＯ）情報４６６は、後述の図９においてより詳細に記載されている。
【００６４】
ユーザ機器（ＵＥ）３５４に通知されるイニシャルバックオフ値４６７は、ネットワークが担う現在のロードを表すものであってよい。例えば、現在のロードが低ければ、ユーザ機器（ＵＥ）３５４は、ネットワークへのアクセスを試行するために次の機会を利用できることを、イニシャルバックオフ値４６７は示してもよい。また、現在のロードが高ければ、ユーザ機器（ＵＥ）３５４は、物理ランダムアクセスチャンネル（ＰＲＡＣＨ）リソースが使用可能となる前に、ある程度待機しなければならないことを、イニシャルバックオフ値４６７は示してもよい。
【００６５】
基地局１０２は、現在のネットワークにおける輻輳を把握しているため、イニシャルバックオフ値４６７は、基地局１０２によって、制御および設定されてよい。また、オーバーロード制御情報４５６を含んだシステム情報ブロック（ＳＩＢ）３４６のデータを提供した後に、輻輳が発生することを、基地局１０２は把握している。従って、イニシャルバックオフ値４６７は、基地局１０２における現在のロードを表すものであってよい。
【００６６】
イニシャルバックオフ（ＩＢＯ）情報４６６は、分布に対する最小遅延４６３、および／または最大遅延４６５（すなわち、最少のバックオフ値、および／または最大のバックオフ値）を表してもよい。ユーザ機器（ＵＥ）３５４は、メッセージ伝送を開始するに先立ち、ユーザ機器（ＵＥ）３５４が待機しなければならない遅延の量を示す、最少のバックオフ値と最大のバックオフ値との間の乱数を選択してもよい。最小のバックオフ値は、０に固定されてもよい。イニシャルバックオフパラメータは、アクセスクラス規制（ＡＣＢ）情報４６０の一部として、ＳＩＢ２にセットされてもよく、または、イニシャルバックオフパラメータは、別のシステム情報ブロック（ＳＩＢ）３４６を介して送信されてもよい。
【００６７】
オーバーロード制御情報４５６はまた、ランダムアクセスチャンネル（ＲＡＣＨ）規制情報４６８を含んでいてもよい。現在のアクセスクラス規制（ＡＣＢ）メカニズムは、ＲＲＣ＿ＩＤＬＥ状態のユーザ機器（ＵＥ）３５４にのみ適用されうる。多数のユーザ機器（ＵＥ）３５４が、セルにおいて、ＲＲＣ＿ＣＯＮＮＥＣＴＥＤ状態にあるとき、各ユーザ機器（ＵＥ）３５４のメディアアクセス制御（ＭＡＣ）層２３２によって開始されるランダムアクセスの試行を緩和させるために、基地局１０２は、これらのユーザ機器（ＵＥ）３５４を制御しようとしてもよい。
【００６８】
ランダムアクセスチャンネル（ＲＡＣＨ）規制情報４６８は、ランダムアクセスチャンネル（ＲＡＣＨ）規制係数４６９、およびランダムアクセスチャンネル（ＲＡＣＨ）規制時間４７１を含んでいてもよい。ランダムアクセスチャンネル（ＲＡＣＨ）規制係数４６９およびランダムアクセスチャンネル（ＲＡＣＨ）規制時間４７１の両方は、特定のアクセスクラス１１４を有するユーザ機器（ＵＥ）３５４へ提供されてよい。各ユーザ機器（ＵＥ）３５４におけるメディアアクセス制御（ＭＡＣ）層２３２は、０≦ｒａｎｄ＜１の範囲において、均一に分布した乱数“ｒａｎｄ”を生成してもよい。“ｒａｎｄ”が、ランダムアクセスチャンネル（ＲＡＣＨ）規制係数４６９の値よりも小さい場合、メディアアクセス制御（ＭＡＣ）層２３２は、ランダムアクセス処理の開始が規制されていないものと判断する。さもなければ、メディアアクセス制御（ＭＡＣ）層２３２は、ランダムアクセス処理の開始が規制されているものと判定する。
【００６９】
ランダムアクセス処理の開始が規制されている場合、ユーザ機器（ＵＥ）３５４は、乱数を生成し、ランダムアクセス処理の再試行に先立ち、ランダムアクセスチャンネル（ＲＡＣＨ）規制時間４７１に基づいて待機すべき時間を決定してもよい。ランダムアクセスチャンネル（ＲＡＣＨ）規制情報４６８は、特定のチャンネル、配信チャンネル、メディアアクセス制御（ＭＡＣ）要素、またはページングチャンネルを介して、ユーザ機器（ＵＥ）３５４へと通知されてよい。ランダムアクセスチャンネル（ＲＡＣＨ）規制メカニズムは、各ユーザ機器（ＵＥ）３５４におけるメディアアクセス制御（ＭＡＣ）層２３２によって開始された、ランダムアクセスチャンネル（ＲＡＣＨ）の試行を緩和することができる。ランダムアクセスチャンネル（ＲＡＣＨ）規制メカニズムを用いることにより、ＲＲＣ＿ＩＤＬＥ状態のユーザ機器（ＵＥ）３５４、およびＲＲＣ＿ＣＯＮＮＥＣＴＥＤ状態のユーザ機器（ＵＥ）３５４による、ランダムアクセスチャンネル（ＲＡＣＨ）の輻輳を低減することができる。メディアアクセス制御（ＭＡＣ）層２３２は、ユーザ機器（ＵＥ）３５４がＲＲＣ＿ＩＤＬＥ状態にあるか、またはＲＲＣ＿ＣＯＮＮＥＣＴＥＤ状態にあるかどうかを把握していないので、ランダムアクセスチャンネル（ＲＡＣＨ）規制は、両方の状態に影響を及ぼす。
【００７０】
オーバーロード制御情報４５６はまた、特定のアクセスクラスに対するランダムアクセスチャンネル（ＲＡＣＨ）リソース情報４７０を含んでいてもよい。特定のランダムアクセスチャンネル（ＲＡＣＨ）リソースは、特定のユーザ機器（ＵＥ）３５４に関係していてよい。
【００７１】
図５は、輻輳を低減するための方法５００のフローチャートである。方法５００は、基地局１０２によって実行されてもよい。基地局１０２は、ステップ５０２において、ネットワークにおけるオーバーロードの可能性を検知することができる。例えば、基地局１０２は、基地局１０２の物理ランダムアクセスチャンネル（ＰＲＡＣＨ）リソースを圧倒する可能性のある多数のユーザ機器（ＵＥ）３０２を検知することができる。
【００７２】
基地局１０２は、ステップ５０４において、オーバーロード制御情報３５６を変更する対象となるアクセスクラス１１４を選択することができる。オーバーロード制御情報３５６における変化が輻輳を緩和させるように、特定のアクセスクラス１１４は、選択されてよい。例えば、特定のアクセスクラス１１４は、同一のトリガに応答し、輻輳を生じさせる可能性のある大規模なグループのマシンタイプ通信（ＭＴＣ）デバイス１０４を含んでいてもよい。複数のアクセスクラス１１４もまた、選択されてもよい。
【００７３】
ステップ５０４において、基地局１０２がアクセスクラス１１４を選択した後、基地局１０２は、ステップ５０６において、特定のアクセスクラス１１４に対するオーバーロード制御情報３５６を調整することができる。ステップ５０６において、オーバーロード制御情報３５６を調整する工程は、アクセスクラス規制インジケータ４６１を変更する工程、アクセスクラス規制係数４６２を変更する工程、アクセスクラス規制時間４６４を変更する工程、イニシャルバックオフ（ＩＢＯ）情報４６６における最小遅延４６３を変更する工程、または、イニシャルバックオフ（ＩＢＯ）情報４６６における最大遅延４６５を変更する工程を含んでいてもよい。続いて、基地局１０２は、ステップ５０８において、調整されたオーバーロード制御情報３５６を、特定のアクセスクラス１１４へと伝送する。
【００７４】
図６は、ページングメッセージ３４８を介して送信された通知を用いて、輻輳を低減するための方法６００のフローチャートである。方法６００は、基地局１０２によって実行されてもよい。基地局１０２は、ステップ６０２において、ネットワークにおけるオーバーロードの可能性を検知する。続いて、基地局１０２は、ステップ６０４において、オーバーロード制御情報３５６を変更する対象となるアクセスクラス１１４を選択することができる。上述のように、ステップ６０４において、アクセスクラス１１４に対応するオーバーロード制御情報３５６の設定に対する変化が、ネットワークにおけるオーバーロードの可能性を緩和するように、基地局１０２は、アクセスクラス１１４を選択することができる。
【００７５】
続いて、基地局１０２は、ステップ６０６において、システム情報（ＳＩ）メッセージ３４０における特定のアクセスクラス１１４に対するオーバーロード制御情報３５６ａを調整することができる。システム情報（ＳＩ）メッセージ３４０は、変更期間内おいて同じように、基地局１０２によって多数回伝送されてもよい。しかし、特定のアクセスクラス１１４を有するユーザ機器（ＵＥ）３５４は、最新のオーバーロード制御情報３５６ａに対する変更期間において、システム情報（ＳＩ）メッセージ３４０をチェックしなくてよい。これを通知するために、基地局１０２は、ステップ６０８において、オーバーロード制御情報変更通知３５８を有するページングメッセージ３４８を、特定のアクセスクラス１１４を有するユーザ機器（ＵＥ）３５４へと送信することができる。
【００７６】
ある設定において、ページングメッセージ３４８は、全てのユーザ機器（ＵＥ）３５４へと送信されてもよいが、ページングメッセージ３４８は、特定のアクセスクラス１１４を有するユーザ機器（ＵＥ）３５４に関連するのみであると報知してもよい。続いて、基地局１０２は、ステップ６１０において、次の変更期間の境界に先立ち、システム情報（ＳＩ）メッセージ３４０を配信してもよい。このようにして、基地局１０２は、特定のアクセスクラス１１４を有するユーザ機器（ＵＥ）３５４によって使用される、オーバーロード制御情報３５６ａを変更することによって、輻輳を緩和することができる。
【００７７】
図７は、ページングメッセージ３４８なしに輻輳を低減させるための方法７００のフローチャートである。方法７００は、基地局１０２によって実行されてもよい。基地局１０２は、ステップ７０２において、ネットワークにおけるオーバーロードの可能性を検知することができる。続いて、基地局１０２は、ステップ７０４において、オーバーロード制御情報３５６ａを変更する対象となるアクセスクラス１１４を選択することができる。アクセスクラス１１４に対応するオーバーロード制御情報３５６ａの設定に対する変更が、ネットワークにおけるオーバーロードの可能性を緩和するように、基地局１０２は、ステップ７０４において、アクセスクラス１１４を選択することができる。
【００７８】
基地局１０２は、ステップ７０６において、システム情報（ＳＩ）メッセージ３４０における特定のアクセスクラス１１４に対するオーバーロード制御情報３５６ａを調整することができる。ある設定において、特定のアクセスクラス１１４を有するユーザ機器（ＵＥ）は、セルへのアクセスの試行に先立ち、システム情報（ＳＩ）メッセージ３４０におけるオーバーロード制御情報３５６ａを、常に監視するよう要求されてもよい。
【００７９】
セルへのアクセスを試行する（すなわち、ランダムアクセス処理を開始する）ＩＤＬＥ＿ＭＯＤＥにおけるユーザ機器（ＵＥ）３５４は、システム情報（ＳＩ）メッセージ３４０におけるオーバーロード制御情報３５６ａの受信を、最初に試行してもよい。これにより、オーバーロード制御情報３５６ａが、ユーザ機器（ＵＥ）３５４において最新であることが確認可能である。しかし、このために、無線リソース制御（ＲＲＣ）接続の確立、またはランダムアクセスチャンネル（ＲＡＣＨ）プロセスにおいて、ある程度の遅延が発生する場合がある。それゆえ、特定のユーザ機器（ＵＥ）３５４（すなわち、特定のアクセスクラス１１４を有するユーザ機器（ＵＥ）３５４、または、特別に読み取りを要求されたユーザ機器（ＵＥ）３５４）のみが、セルへのアクセスに先立ち、オーバーロード制御情報３５６ａを含んだ、全ての必要なシステム情報ブロック（ＳＩＢ）３４６のデータを、読み出すように要求されてもよい。
【００８０】
例えば、タイムトレラントなマシンタイプ通信（ＭＴＣ）デバイス１０４ａは、マシンタイプ通信（ＭＴＣ）デバイス１０４ａがセルにアクセス可能となる前に、オーバーロード制御情報３５６ａを含んだ、必要なシステム情報ブロック（ＳＩＢ）３４６のデータを、読み出すように要求されてもよい。しかし、タイムイントレラントなマシンタイプ通信（ＭＴＣ）デバイス１０４ｂは、マシンタイプ通信（ＭＴＣ）デバイス１０４ｂがセルにアクセス可能となる前に、オーバーロード制御情報３５６ａを含んだ、システム情報ブロック（ＳＩＢ）３４６のデータを、読み出すように要求されなくともよい。ある設定において、必要なシステム情報ブロック（ＳＩＢ）３４６のデータは、ＳＩＢ２を含んでいてもよく、ＳＩＢ２は、アクセスクラス規制（ＡＣＢ）情報４６０を搬送する。
【００８１】
タイムトレラントなマシンタイプ通信（ＭＴＣ）デバイス１０４ａは、特別なシステム情報ブロックＳＩＢｘにおいて提供されるアクセスクラス規制（ＡＣＢ）情報を用いる一方で、タイムイントレラントなマシンタイプ通信（ＭＴＣ）デバイス１０４ｂは、ＳＩＢ２において提供されたアクセスクラス規制（ＡＣＢ）情報４６０を用いる。ＳＩＢｘは、さらに長い周期を有する。ＳＩＢｘは、マシンタイプ通信（ＭＴＣ）デバイス１０４に対するパラメータを搬送してもよい。マシンタイプ通信（ＭＴＣ）デバイス１０４以外のユーザ機器（ＵＥ）３５４は、ＳＩＢｘを監視するよう要求されなくともよい。
【００８２】
ＳＩＢ２は、短い周期を有しており、待ち時間を低減させるために有益である。しかし、ＳＩＢ２はコストの高いリソースであり、また、ＳＩＢ２に追加のデータを付加することは困難である場合がある。従って、イニシャルバックオフ（ＩＢＯ）情報４６６は、ＳＩＢ２以外のシステム情報ブロック（ＳＩＢ）３４６において搬送されてもよいことが予見されうる。特別なシステム情報ブロックＳＩＢｘは、長い周期を有しており、コストの低いリソースである。従って、ＳＩＢｘは、マシンタイプ通信（ＭＴＣ）デバイス１０４に対するイニシャルバックオフ（ＩＢＯ）情報４６６、アクセスクラス規制（ＡＣＢ）情報４６０、ランダムアクセスチャンネル（ＲＡＣＨ）規制情報４６８、および特定のランダムアクセスチャンネル（ＲＡＣＨ）リソース情報４７０を搬送し、タイムトレラントなマシンタイプ通信（ＭＴＣ）デバイス１０４ａの要求を容易化することができる。
【００８３】
基地局１０２は、ステップ７０８において、次の変更期間の境界に先立ち、システム情報（ＳＩ）メッセージ３０４を配信することができる。このようにして、基地局１０２は、特定のアクセスクラス１１４を有するユーザ機器（ＵＥ）３５４によって使用されるオーバーロード制御情報３５６ａを変更することによって、輻輳を緩和することができる。
【００８４】
図８は、ページングメッセージ３４８におけるオーバーロード制御情報３５６ｂを送信することによって輻輳を低減させるための方法８００のフローチャートである。方法８００は、基地局１０２によって実行されてもよい。基地局１０２は、ステップ８０２において、ネットワークにおけるオーバーロードの可能性を検知することができる。続いて、基地局１０２は、ステップ８０４において、オーバーロード制御情報３５６ｂを変更する対象となるアクセスクラス１１４を選択することができる。
【００８５】
アクセスクラス１１４が選択されたのち、基地局１０２は、ステップ８０６において、ページングメッセージ３４８における特定のアクセスクラス１１４に対するオーバーロード制御情報３５６ｂを調整することができる。オーバーロード制御情報３５６ｂは、特定のアクセスクラス１１４を有するユーザ機器（ＵＥ）向けのものであることを、ページングメッセージ３４８は報知してもよい。監視時点において分割された、同一のページンググループのユーザ機器（ＵＥ）３５４は、ページングメッセージ３４８を読み出す。各ユーザ機器（ＵＥ）３５４は、ユーザ機器（ＵＥ）３５４に関連したページングメッセージ３４８における情報を読み出すのみである。基地局１０２は、ステップ８０８において、特定のアクセスクラス１１４を有するユーザ機器（ＵＥ）３５４へ、ページングメッセージ３４８を送信する。特定のアクセスクラス１１４を有するユーザ機器（ＵＥ）３５４は、アクセス処理において、オーバーロード制御情報３５６ｂを用いてもよく、それによって、基地局１０２の輻輳を低減することができる。
【００８６】
図９は、輻輳を低減するための別の方法９００のフローチャートである。方法９００は、ユーザ機器（ＵＥ）３５４によって実行されてもよい。ユーザ機器（ＵＥ）３５４は、マシンタイプ通信（ＭＴＣ）デバイス１０４、または無線通信デバイス１１８であってよい。ユーザ機器（ＵＥ）３５４は、ステップ９０２において、アイドルモードにおいて動作することができる。ユーザ機器（ＵＥ）３５４は、ステップ９０３において、最新のオーバーロード制御情報３５６を取得することができる。
【００８７】
ユーザ機器（ＵＥ）３５４は、通常の処理、および／または、図３について上述したように、最新のオーバーロード制御情報３５６に対する追加の処理に基づき、システム情報（ＳＩ）を取得および格納することができる。このようなシステム情報（ＳＩ）の取得は、必要に応じて随時実行される。ユーザ機器（ＵＥ）３５４は、ページングメッセージ３４８、システム情報（ＳＩ）メッセージ３４０、または、ページングメッセージ３４８におけるオーバーロード制御情報変更通知３５８に付随するシステム情報（ＳＩ）メッセージ３４０を介して、更新されたオーバーロード制御情報３５６を受信および格納することができる。無線リソース制御（ＲＲＣ）接続の確立処理の間、ユーザ機器（ＵＥ）３５４が特定のアクセスクラス１１４の一部であれば、ユーザ機器（ＵＥ）３５４は、更新されたオーバーロード制御情報３５６を受信および格納することのみできる。また、ユーザ機器（ＵＥ）３５４が特定のアクセスクラス１１４の一部でなければ、ユーザ機器（ＵＥ）３５４は、すでに基地局１０２から関連するオーバーロード制御情報３５６を受信し、格納していてもよい。ある設定において、更新されたオーバーロード制御情報３５６は、変更期間において格納されてもよい。
【００８８】
ユーザ機器（ＵＥ）３５４は、ステップ９０４において、ユーザ機器（ＵＥ）３５４がネットワークへとアクセスするよう要求するトリガイベントを検知する。トリガイベントの例は、オイルバルブにおける圧力の変化、温度の急激な低下、ペースメーカにおける心拍の変化等を含んでいる。トリガイベントは、マシンタイプ通信（ＭＴＣ）デバイス１０４の各タイプについて異なっていてもよい。トリガイベントによって、ユーザ機器（ＵＥ）３５４は、無線リソース制御（ＲＲＣ）接続の確立処理を開始する。ユーザ機器（ＵＥ）３５４は、ステップ９０６において、最新のオーバーロード制御情報３５６から、アクセスクラス規制（ＡＣＢ）情報４６０を取得することができる。
【００８９】
ユーザ機器（ＵＥ）３５４は、ステップ９０８において、ユーザ機器（ＵＥ）３５４のアクセスクラスに対して、アクセスクラス規制インジケータ３６１としてのａｃ−ＢａｒｒｉｎｇＦｏｒＳｐｅｃｉａｌＡＣにおいて対応するビットが、０にセットされているかどうかを判定する。アクセスクラス規制インジケータ３６１としてのａｃ−ＢａｒｒｉｎｇＦｏｒＳｐｅｃｉａｌＡＣは、各アクセスクラスに対するビットマップとしてのビット列である。アクセスクラス規制インジケータ３６１としてのａｃ−ＢａｒｒｉｎｇＦｏｒＳｐｅｃｉａｌＡＣにおいて対応するビットが、０にセットされていなければ、ユーザ機器（ＵＥ）３５４は、ステップ９２０において、セルへのアクセスが規制されていないものと判断する。
【００９０】
アクセスクラス規制インジケータ３６１としてのａｃ−ＢａｒｒｉｎｇＦｏｒＳｐｅｃｉａｌＡＣにおいて対応するビットが、１にセットされていれば、ユーザ機器（ＵＥ）３５４は、ステップ９１０において、０≦ｒａｎｄＯｎｅ＜１の範囲において均一に分布した第１乱数“ｒａｎｄＯｎｅ”を生成することができる。生成された乱数“ｒａｎｄＯｎｅ”が、アクセスクラス規制係数４６２によって示される値よりも小さければ、ユーザ機器（ＵＥ）３５４は、ステップ９２０において、セルへのアクセスが規制されていないものと判断する。また、生成された乱数“ｒａｎｄＯｎｅ”が、アクセスクラス規制係数４６２によって示される値よりも小さくなければ、ユーザ機器（ＵＥ）３５４は、ステップ９１４において、セルへのアクセスが規制されているものと判断する。
【００９１】
ステップ９１４において、セルへのアクセスが規制されているものと判断されると、ユーザ機器（ＵＥ）３５４は、ステップ９１６において、第２乱数“ｒａｎｄＴｗｏ”を生成することができる。第２乱数“ｒａｎｄＴｗｏ”は、アクセスクラス規制時間４６４に対応していてもよい。ユーザ機器（ＵＥ）３５４は、ステップ９１８において、第２乱数“ｒａｎｄＴｗｏ”およびアクセスクラス規制時間４６４に対応する時間において、待機することができる。例えば、上記対応する時間は、（０．７＋０．６×ｒａｎｄＴｗｏ）×ａｃ−Ｂａｒｒｉｎｇ  Ｔｉｍｅに等しくてもよい。上記時間が終了した後、ユーザ機器（ＵＥ）３５４は、ステップ９０６へ戻り、格納されたオーバーロード制御情報３５６から、更新されたアクセスクラス規制（ＡＣＢ）情報を取得することができる。
【００９２】
ステップ９２０において、ユーザ機器（ＵＥ）３５４がセルへのアクセスは規制されていないものと判断すると、ユーザ機器（ＵＥ）３５４は、ステップ９２２において、最新のオーバーロード制御情報３５６から、イニシャルバックオフ値４６７を取得することができる。続いて、ユーザ機器（ＵＥ）３５４は、ステップ９２４において、イニシャルバックオフ値４６７に基づくイニシャルバックオフを適用する。
【００９３】
ステップ９２４において、イニシャルバックオフ値４６７に基づくイニシャルバックオフを適用するための様々な異なる方法がある。第１の方法においては、イニシャルバックオフ値４６７は、無線リソース制御（ＲＲＣ）層２３８へ適用される。ユーザ機器（ＵＥ）２５４における無線リソース制御（ＲＲＣ）層２３８は、ＲＲＣＣｏｎｎｅｃｔｉｏｎＲｅｑｕｅｓｔメッセージの伝送の開始に先立ち、待機すべき時間を決定することができる。それゆえ、イニシャルバックオフ値４６７は、下層へのＲＲＣＣｏｎｎｅｃｔｉｏｎＲｅｑｕｅｓｔメッセージの送信を開始するために用いられる。バックオフ時間の後に、無線リソース制御（ＲＲＣ）メッセージが下層へと送信された場合、ランダムアクセス処理は、メディアアクセス制御（ＭＡＣ）層２３２によって開始されてもよい。従って、ステップ９２４において、無線リソース制御（ＲＲＣ）接続の確立に先立ち、イニシャルバックオフは適用され、イニシャルバックオフは、ＲＲＣ＿ＣＯＮＮＥＣＴＥＤ状態のユーザ機器（ＵＥ）３５４に対しては用いられない。この方法は、高位層において実行されるため、イニシャルバックオフのより大きな値が適用可能である。
【００９４】
第２の方法においては、イニシャルバックオフ値は、メディアアクセス制御（ＭＡＣ）層２３２において適用されてよい。ユーザ機器（ＵＥ）２５４におけるメディアアクセス制御（ＭＡＣ）層２３２は、ランダムアクセス処理を開始するために待機すべき時間を決定することができる。ランダムアクセス処理は、メディアアクセス制御（ＭＡＣ）それ自体によって開始されるスケジューリングのリクエストに対して用いられる。ランダムアクセス処理は、ＲＲＣ＿ＩＤＬＥ状態にあるユーザ機器（ＵＥ）３５４、またはＲＲＣ＿ＣＯＮＮＥＣＴＥＤ状態にあるアップリンクのデータの到着による無線リソース制御（ＲＲＣ）接続の確立によって引き起こされてもよい。
【００９５】
通常のユーザ機器（ＵＥ）３５４が、ランダムアクセス処理を再試行するためのバックオフ時間を費やすよう要求されるのみである一方、特定のユーザ機器（ＵＥ）３５４（すなわち、特定のアクセスクラス１１４を有するユーザ機器（ＵＥ）３５４）は、ランダムアクセス処理を開始し、ランダムアクセス処理を再試行するためのバックオフ時間を費やすよう要求されてもよい。イニシャルバックオフ値４６７は、ランダムアクセス処理の開始に対して用いられ、モードに関わらず（すなわち、ＲＲＣ＿ＩＤＬＥモードまたはＲＲＣ＿ＣＯＮＮＥＣＴＥＤモードのいずれかにおいても使用可能である）、ユーザ機器（ＵＥ）３５４に対して使用されてよい。
【００９６】
ランダムアクセス処理を再試行するためのバックオフ時間は、通常のユーザ機器（ＵＥ）３５４と特定のユーザ機器（ＵＥ）３５４との間で、区別されていてよい。ランダムアクセス処理の再試行をするだけでなく、ランダムアクセス処理を開始するためにも、バックオフ時間の分布は設けられている。ランダムアクセス処理を再試行するための、特定のユーザ機器（ＵＥ）３５４に対するバックオフ値は、イニシャルバックオフ値４６７と同じ値であってよく、または、基地局１０２によって通知されてもよい。
【００９７】
特定の物理ランダムアクセスチャンネル（ＰＲＡＣＨ）リソースは、高位層（すなわち、無線リソース制御（ＲＲＣ）層２３８）において、特定のユーザ機器（ＵＥ）３５４と関係している。メディアアクセス制御（ＭＡＣ）層２３２は、特定のユーザ機器（ＵＥ）３５４よりも、むしろ特定の物理ランダムアクセスチャンネル（ＰＲＡＣＨ）リソースに基づき、イニシャルバックオフを制御することができる。ユーザ機器（ＵＥ）３５４が特定の物理ランダムアクセスチャンネル（ＰＲＡＣＨ）リソースを用いる場合、ユーザ機器（ＵＥ）３５４は、ランダムアクセス処理を開始し、ランダムアクセス処理を再試行するためのバックオフ時間を要してもよい。
【００９８】
図１０は、ランダムアクセスチャンネル（ＲＡＣＨ）規制を適用するための方法１０００のフローチャートである。方法１０００は、ユーザ機器（ＵＥ）３５４によって実行されてもよい。ユーザ機器（ＵＥ）３５４は、ステップ１００２において、接続モード（すなわち、ＲＲＣ＿ＣＯＮＮＥＣＴＥＤ）またはアイドルモード（ＲＲＣ＿ＩＤＬＥ）において動作することができる。ユーザ機器（ＵＥ）３５４は、ステップ１００４において、メディアアクセス制御（ＭＡＣ）層２３２によって開始されたランダムアクセス処理を試行することができる。
【００９９】
続いて、ユーザ機器（ＵＥ）３５４は、ステップ１００６において、第１乱数を生成することができる。ユーザ機器（ＵＥ）３５４は、ステップ１００８において、第１乱数がランダムアクセスチャンネル（ＲＡＣＨ）規制係数４６９よりも小さいかどうかを判定することができる。図４について上述したように、ユーザ機器（ＵＥ）３５４は、基地局１０２から、ランダムアクセスチャンネル（ＲＡＣＨ）規制係数４６９を受信することができる。第１乱数がランダムアクセスチャンネル（ＲＡＣＨ）規制係数４６９よりも小さければ、ユーザ機器（ＵＥ）３５４は、ランダムアクセス処理が規制されていないと推測することができ、ステップ１０１０において、ランダムアクセス処理を継続することができる。
【０１００】
第１乱数がランダムアクセスチャンネル（ＲＡＣＨ）規制係数４６９よりも小さくなければ、ユーザ機器（ＵＥ）３５４は、ランダムアクセス処理が規制されていると推測することができる。ユーザ機器（ＵＥ）３５４は、ステップ１０１２において、第２乱数を生成することができる。続いて、ユーザ機器（ＵＥ）３５４は、ステップ１０１４において、第２乱数およびランダムアクセスチャンネル（ＲＡＣＨ）規制時間４７１に対応する時間において、待機することができる。図４について上述したように、ユーザ機器（ＵＥ）３５４は、基地局１０２から、ランダムアクセスチャンネル（ＲＡＣＨ）規制時間４７１を受信することができる。ユーザ機器（ＵＥ）３５４が上記時間において待機した後、ユーザ機器（ＵＥ）３５４は、ステップ１００６において、第１乱数を再び生成することができる。
【０１０１】
アクセスクラス規制（ＡＣＢ）メカニズムが、ランダムアクセスチャンネル（ＲＡＣＨ）規制として実装されている場合、イニシャルバックオフ（ＩＢＯ）メカニズムもまた、メディアアクセス制御（ＭＡＣ）層２３２に実装されてよい。ユーザ機器（ＵＥ）３５４は、ランダムアクセス処理が規制されていないと推測することができ、イニシャルバックオフを適用し、ステップ１０１０において、ランダムアクセス処理を継続することができる。
【０１０２】
上述の方法は、特定のユーザ機器（ＵＥ）３５４（すなわち、特定のアクセスクラス１１４を有するユーザ機器（ＵＥ）３５４）に対して適用可能である。例えば、アクセスクラス規制（ＡＣＢ）メカニズム、および／またはイニシャルバックオフ（ＩＢＯ）メカニズム、および／またはランダムアクセスチャンネル（ＲＡＣＨ）規制メカニズム、および／またはシステム情報ブロック（ＳＩＢ）の読み取りの強制、および／またはページング通知の使用は、アクセスクラス、基地局１２０による通知、あるいは、配信チャンネル、専用チャンネル、またはページングチャンネルを介したネットワークに基づき、あらかじめ定義されていてよい。
【０１０３】
図１１は、基地局１０２において利用可能な様々な構成要素を表している。基地局１１０２は、アクセスポイント、Ｎｏｄｅ  Ｂ、ｅＮｏｄｅＢ等であってよい。基地局１１０２は、基地局１０２の動作を制御するプロセッサ１１０３を含んでいる。プロセッサ１１０３は、ＣＰＵと称されてもよい。メモリ１１０５は、読み出し専用メモリ（ＲＯＭ）、ランダムアクセスメモリ（ＲＡＭ）、または情報を格納することができる任意のタイプのデバイスを含んでいてよい。メモリ１１０５は、プロセッサ１１０３へ、命令１１０７ａおよびデータ１１０９ａを提供する。メモリ１１０５の一部はまた、不揮発性ランダムアクセスメモリ（ＮＶＲＡＭ）を含んでいてもよい。命令１１０７ｂおよびデータ１１０９ｂは、プロセッサ１１０３に格納されていてもよい。プロセッサ１１０３へロードされた命令１１０７ｂは、プロセッサ１１０３による処理のためにロードされた、メモリ１１０５からの命令１１０７ａを含んでいてもよい。命令１１０７ｂは、ここで開示された方法を実現するために、プロセッサ１１０３によって実行されてよい。
【０１０４】
基地局１１０２は、データの送受信を可能とするための送信機１１１１および受信機１１１３を内包するハウジングを含んでいてもよい。送信機１１１１と受信機１１１３とは、組み合わせてトランシーバ１１１５とされてもよい。アンテナ１１１７は、ハウジングに取り付けられており、トランシーバ１１１５と電気的に接続されている。追加のアンテナが用いられてもよい。
【０１０５】
基地局１１０２の様々な構成要素は、バスシステム１１１９によって全体的に接続されている。バスシステム１１１９は、データバスに加えて、電力線、制御信号線、およびステータス信号線を含んでいてもよい。しかし、簡単のために、様々なバスは、図１１においてバスシステム１１１９として示されている。基地局１１０２は、信号処理に用いるためのデジタル信号プロセッサ（ＤＳＰ）１１２１を含んでいてもよい。基地局１１０２は、基地局１１０２の機能へのユーザのアクセスを提供する通信インターフェース１１２３をさらに含んでいてもよい。図１１に示された基地局１１０２は、特定の構成要素を列挙したものというよりも、むしろ機能ブロック図である。
【０１０６】
図１２は、ユーザ機器（ＵＥ）１２５４において利用可能な様々な構成要素を示している。ユーザ機器（ＵＥ）１２５４は、基地局１１０２について上述したものと類似の構成要素を含んでいてよい。ユーザ機器（ＵＥ）１２５４は、プロセッサ１２０３、プロセッサ１２０３へ命令１２０７ａおよびデータ１２０９ａを提供するメモリ、プロセッサ１２０３に格納可能な命令１２０７ｂおよびデータ１２０９ｂ、送信機１２１１および受信機１２１３（組み合わせてトランシーバ１２１５とされてよい）を内包するハウジング、トランシーバ１２１５と電気的に接続されているアンテナ１２１７、バスシステム１２１９、信号処理に用いるためのデジタル信号プロセッサ（ＤＳＰ）１２２１、通信インターフェース１２２３などを含んでいてよい。
【０１０７】
ここで用いられているように、「判定する」という言葉は、広い様々な動作を含んでいる。従って、「判定する」という言葉は、計算すること、算出すること、処理すること、導出すること、調査すること、照合すること（例えば、テーブル、データベース、または別のデータ構造において照合すること）、確定することなどを含んでいてもよい。また、「判定する」という言葉は、受信すること（例えば、情報を受信すること）、アクセスすること（例えば、メモリにおいてデータにアクセスすること）などを含んでいてもよい。また、「判定する」という言葉は、決定すること、選択すること、選定すること、確立することなどを含んでいてもよい。
【０１０８】
「〜に基づく」という言葉は、明示的に記載されているのでなければ、「〜のみに基づく」ことを意味しない。すなわち、「〜に基づく」という言葉は、「〜のみに基づく」、および、「少なくとも〜に基づく」ことの両方を表している。
【０１０９】
「プロセッサ」という言葉は、多目的コンピュータ、中央演算処理装置（ＣＰＵ）、マイクロプロセッサ、デジタル信号プロセッサ（ＤＳＰ）、コントローラ、マイクロコントローラ、ステートマシンなどを含むものとして、広く解釈されるべきである。ある状況下では、「プロセッサ」という言葉は、特定用途向け集積回路（ＡＳＩＣ）、プログラマブルロジックデバイス（ＰＬＤ）、フィールドプログラマブルゲートアレイ（ＦＰＧＡ）などを指してもよい。「プロセッサ」という言葉は、処理デバイスの組み合わせを指してもよく、例えば、ＤＳＰとマイクロプロセッサとの組み合わせ、複数のマイクロプロセッサ、ＤＳＰのコアと接続された１つ以上のマイクロプロセッサ、またはその他の構成を指してもよい。
【０１１０】
「メモリ」という言葉は、電子情報を格納することが可能な任意の電子部品を含むものとして、広く解釈されるべきである。メモリという言葉は、ランダムアクセスメモリ（ＲＡＭ）、読み出し専用メモリ（ＲＯＭ）、不揮発性ランダムアクセスメモリ（ＮＶＲＡＭ）、プログラマブル読み出し専用メモリ（ＰＲＯＭ）、消去可能プログラマブル読み出し専用メモリ（ＥＰＲＯＭ）、電気的消去可能ＰＲＯＭ（ＥＥＰＲＯＭ（登録商標））、フラッシュメモリ、磁気的データストレージ、光学的データストレージ、レジスタなどの、様々なタイプのプロセッサ可読な媒体を指してもよい。プロセッサがメモリから情報を読み出す、および／または、メモリへと情報を書きだすとき、メモリはプロセッサと電気的に通信していると称される。メモリは、プロセッサに統合されていてもよく、その場合も、プロセッサと電気的に通信していると称されてもよい。
【０１１１】
「命令」および「コード」という言葉は、任意のタイプのコンピュータ可読な命令文を含むものとして、広く解釈されるべきである。例えば、「命令」および「コード」という言葉は、１つ以上のプログラム、ルーチン、サブルーチン、関数、処理などを指してもよい。「命令」および「コード」という言葉は、単独のコンピュータ可読な命令文、または複数のコンピュータ可読な命令文を含んでいてもよい。
【０１１２】
ここで記述されている機能は、ハードウェア、ソフトウェア、ファームウェア、またはそれらの任意の組み合わせによって実装されてよい。ソフトウェアによって実装される場合、機能は、コンピュータ可読な媒体上の１つ以上の命令として格納されてもよい。「コンピュータ可読な媒体」という言葉は、コンピュータによってアクセスすることが可能な、任意の利用可能な媒体を指す。一例として、限定されるものではないが、コンピュータ可読な媒体は、ＲＡＭ、ＲＯＭ、ＥＥＰＲＯＭ（登録商標）、ＣＤ−ＲＯＭ、他の光ディスクストレージ、磁気ディスクストレージ、他の磁気ストレージデバイス、命令またはデータ構造の形での所望のプログラムコードを搬送または格納するために使用可能であり、かつ、コンピュータによってアクセスすることが可能な他の任意の媒体を含んでもよい。ここで用いられているように、ディスク（ｄｉｓｋ，ｄｉｓｃ）という言葉は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含んでいる。ｄｉｓｃはレーザを用いて、光学的にデータを再生する一方で、ｄｉｓｋは一般的に、磁気的にデータを再生する。
【０１１３】
ソフトウェアまたは命令は、通信媒体によって伝送されてもよい。例えば、ソフトウェアが、同軸ケーブル、光ファイバーケーブル、ツイストペア、デジタル加入者線（ＤＳＬ）、または、赤外線、無線、およびマイクロ波のような無線技術を用いて、ウェブサイト、サーバ、または他の離れた発信元から伝送される場合、同軸ケーブル、光ファイバーケーブル、ツイストペア、ＤＳＬ、または、赤外線、無線、およびマイクロ波のような無線技術は、通信媒体の定義に含まれる。
【０１１４】
ここで開示されている方法は、説明されている方法を実行するための１つ以上のステップまたは動作を含んでいる。方法におけるステップ、および／または動作は、特許請求の範囲から逸脱することなく、相互に交換可能である。すなわち、説明されている方法の適切な動作のために、特定の順序のステップまたは動作が要求されない限りは、特定のステップ、および／または動作の順序、および／または使用は、特許請求の範囲から逸脱することなく、変更可能である。
【０１１５】
特許請求の範囲は、上記において示された正確な設定および構成要素に限定されないことが理解される。様々な修正、変更、および変形は、ここで記載されたシステム、方法、および機器の設定、動作、および詳細において、特許請求の範囲を逸脱することなく、行われてもよい。
【図１】
2013536636.tif 000003
【図２】
2013536636.tif 000004
【図３】
2013536636.tif 000005
【図４】
2013536636.tif 000006
【図５】
2013536636.tif 000007
【図６】
2013536636.tif 000008
【図７】
2013536636.tif 000009
【図８】
2013536636.tif 000010
【図９】
2013536636.tif 000011
【図１０】
2013536636.tif 000012
【図１１】
2013536636.tif 000013
【図１２】
2013536636.tif 000014
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
ネットワークの輻輳を制御するための方法であって、
特定のユーザ機器（ＵＥ）からのアクセスを規制するためのパラメータを調整する工程と、
システム情報ブロックタイプ２（ＳｙｓｔｅｍＩｎｆｏｒｍａｔｉｏｎＢｌｏｃｋＴｙｐｅ２）と異なる特定のシステム情報ブロックにおける上記調整されたパラメータを伝送する工程と、を含んでいることを特徴とする方法。
【請求項２】
上記方法は、基地局によって実行されることを特徴とする請求項１に記載の方法。
【請求項３】
上記ユーザ機器（ＵＥ）は、マシンタイプ通信（ＭＴＣ）デバイスおよび無線通信デバイスを備えていることを特徴とする請求項１に記載の方法。
【請求項４】
上記特定のシステム情報ブロックにおける上記パラメータは、必要に応じて、次の変更期間の境界に先立ち、更新されることを特徴とする請求項１に記載の方法。
【請求項５】
上記特定のシステム情報ブロックにおける上記パラメータの変更通知を有するページングメッセージを送信する工程をさらに含んでいることを特徴とする請求項１に記載の方法。
【請求項６】
上記特定のシステム情報ブロックにおける上記パラメータは、アクセスクラス規制（ＡＣＢ）情報を含んでいることを特徴とする請求項１に記載の方法。
【請求項７】
ネットワークの輻輳を制御するために構成された機器であって、
プロセッサと、
上記プロセッサと電気的に通信するメモリと、
上記メモリに格納された命令と、を含んでおり、
上記命令は、
特定のユーザ機器（ＵＥ）からのアクセスを規制するためのパラメータを調整し、
システム情報ブロックタイプ２（ＳｙｓｔｅｍＩｎｆｏｒｍａｔｉｏｎＢｌｏｃｋＴｙｐｅ２）と異なる特定のシステム情報ブロックにおける上記調整されたパラメータを伝送するために、実行可能であることを特徴とする機器。
【請求項８】
上記機器は、基地局であることを特徴とする請求項７に記載の機器。
【請求項９】
上記ユーザ機器（ＵＥ）は、マシンタイプ通信（ＭＴＣ）デバイスおよび無線通信デバイスを備えていることを特徴とする請求項７に記載の機器。
【請求項１０】
上記特定のシステム情報ブロックにおける上記パラメータは、必要に応じて、次の変更期間の境界に先立ち、更新されることを特徴とする請求項７に記載の機器。
【請求項１１】
上記命令は、上記特定のシステム情報ブロックにおける上記パラメータの変更通知を有するページングメッセージを送信するために、さらに実行可能であることを特徴とする請求項７に記載の機器。
【請求項１２】
上記特定のシステム情報ブロックにおける上記パラメータは、アクセスクラス規制（ＡＣＢ）情報を含んでいることを特徴とする請求項７に記載の機器。
【請求項１３】
ネットワークの輻輳を制御するための方法であって、
上記方法はユーザ機器（ＵＥ）によって実行され、
特定のユーザ機器（ＵＥ）からのアクセスを規制するためのパラメータを、システム情報ブロックタイプ２（ＳｙｓｔｅｍＩｎｆｏｒｍａｔｉｏｎＢｌｏｃｋＴｙｐｅ２）と異なる特定のシステム情報ブロックから取得する工程と、
上記ネットワークへのアクセスが規制されるかどうかを判定するために上記パラメータを使用する工程と、を含んでいることを特徴とする方法。
【請求項１４】
上記パラメータは、アクセスクラス規制情報を含んでおり、
上記アクセスクラス規制情報は、アクセスクラス規制インジケータを含んでおり、
さらに、アイドルモードにおいて動作する工程を含んでおり、
上記ネットワークへのアクセスが規制されるかどうかを判定するために上記パラメータを使用する工程は、上記ＵＥのアクセスクラスに対応する上記アクセスクラス規制インジケータにおけるビットが、０にセットされているかどうかを判定する工程を含んでいることを特徴とする請求項１３に記載の方法。
【請求項１５】
上記ＵＥのアクセスクラスに対応する上記アクセスクラス規制インジケータにおける上記ビットが、０にセットされている場合には、
上記ネットワークへのアクセスが規制されていないものと判断する工程をさらに含んでいることを特徴とする請求項１４に記載の方法。
【請求項１６】
イニシャルバックオフは、無線リソース制御（ＲＲＣ）接続の確立に先立ち、無線リソース制御（ＲＲＣ）層へ適用されることを特徴とする請求項１３に記載の方法。
【請求項１７】
イニシャルバックオフは、上記メディアアクセス制御（ＭＡＣ）層において適用され、
上記ＭＡＣ層は、ランダムアクセス処理の開始に先立ち、待機すべき時間を決定することを特徴とする請求項１３に記載の方法。
【請求項１８】
上記ネットワークへの接続の試行に先立ち、イニシャルバックオフ値に対応する時間において遅延する工程をさらに含んでいることを特徴とする請求項１３に記載の方法。
【請求項１９】
上記ＵＥは、マシンタイプ通信（ＭＴＣ）デバイスであることを特徴とする請求項１３に記載の方法。
【請求項２０】
上記ＵＥは、無線通信デバイスであることを特徴とする請求項１３に記載の方法。
【請求項２１】
上記ＵＥは、アクセスクラスを有していることを特徴とする請求項１３に記載の方法。
【請求項２２】
上記ＵＥは、ページングメッセージを介して、変更通知を受信することによって、上記パラメータを取得することを特徴とする請求項１３に記載の方法。
【請求項２３】
ネットワークの輻輳を制御するために構成された機器であって、
プロセッサと、
上記プロセッサと電気的に通信するメモリと
上記メモリに格納された命令と、を含んでおり、
上記命令は、
特定のユーザ機器（ＵＥ）からのアクセスを規制するためのパラメータを、システム情報ブロックタイプ２（ＳｙｓｔｅｍＩｎｆｏｒｍａｔｉｏｎＢｌｏｃｋＴｙｐｅ２）と異なる特定のシステム情報ブロックから取得し、
上記ネットワークへのアクセスが規制されるかどうかを判定するために上記パラメータを使用するために、実行可能であることを特徴とする機器。
【請求項２４】
上記パラメータは、アクセスクラス規制情報を含んでおり、
上記アクセスクラス規制情報は、アクセスクラス規制インジケータを含んでおり、
上記命令は、さらに、アイドルモードにおいて動作するために実行可能であり、
上記ネットワークへのアクセスが規制されるかどうかを判定するための上記パラメータの使用は、上記機器のアクセスクラスに対応する上記アクセスクラス規制インジケータにおけるビットが、０にセットされているかどうかを判定することを含んでいることを特徴とする請求項２３に記載の機器。
【請求項２５】
上記ＵＥのアクセスクラスに対応する上記アクセスクラス規制インジケータにおける上記ビットが、０にセットされている場合には、
上記命令は、上記ネットワークへのアクセスが規制されていないものと判断するために、さらに実行可能であることを特徴とする請求項２４に記載の機器。
【請求項２６】
イニシャルバックオフは、無線リソース制御（ＲＲＣ）接続の確立に先立ち、無線リソース制御（ＲＲＣ）層へ適用されることを特徴とする請求項２３に記載の機器。
【請求項２７】
イニシャルバックオフは、上記メディアアクセス制御（ＭＡＣ）層において適用され、
上記ＭＡＣ層は、ランダムアクセス処理の開始に先立ち、待機すべき時間を決定することを特徴とする請求項２３に記載の機器。
【請求項２８】
上記命令は、上記ネットワークへの接続の試行に先立ち、イニシャルバックオフ値に対応する時間において遅延するために、さらに実行可能であることを特徴とする請求項２３に記載の機器。
【請求項２９】
上記機器は、マシンタイプ通信（ＭＴＣ）デバイスであることを特徴とする請求項２３に記載の機器。
【請求項３０】
上記機器は、無線通信デバイスであることを特徴とする請求項２３に記載の機器。
【請求項３１】
上記機器は、アクセスクラスを有していることを特徴とする請求項２３に記載の機器。
【請求項３２】
上記機器は、ページングメッセージを介して、変更通知を受信することによって、上記パラメータを取得することを特徴とする請求項２３に記載の機器。
【請求項３３】
上記特定のシステム情報ブロックにおける上記パラメータは、イニシャルバックオフ情報を含んでいることを特徴とする請求項６に記載の方法。
【請求項３４】
上記特定のシステム情報ブロックにおける上記パラメータは、イニシャルバックオフ情報を含んでいることを特徴とする請求項１２に記載の機器。
【請求項３５】
上記特定のシステム情報ブロックにおける上記パラメータは、必要に応じて、次の変更期間の境界に先立ち、更新されることを特徴とする請求項１３に記載の方法。
【請求項３６】
上記特定のシステム情報ブロックにおける上記パラメータは、必要に応じて、次の変更期間の境界に先立ち、更新されることを特徴とする請求項２３に記載の機器。
【国際調査報告】
2013536636.tif 000015